(57)【要約】  無線通信システムは、ＵＥ（１０）がアクセス可能なＣＳＧセルを列挙したホワイトリストを生成するＭＭＥ（７０）と、ホワイトリストに基づいてアクセスの可否を決定するＨｅＮＢゲートウェイ（５０）と、ＣＳＧセルのホーム基地局（３０）（８０）とを備える。ＵＥ（１０）は、手動によるＣＳＧセルの選択を受け付け、そのＣＳＧセルのホワイトリストへの追加をモビリティ管理装置に要求する手動選択実行部と、測定報告メッセージに含めるＣＳＧセルの中に手動による選択を受け付けたＣＳＧセルを含み、かつ、選択されたＣＳＧセルがホワイトリスト記憶部に記憶されたホワイトリストに含まれていない場合に、ホワイトリストの更新中であることを示す情報を付加した測定報告メッセージを生成する測定報告メッセージ生成部とを有する。これにより、マニュアルセレクション処理を適切に反映してハンドオーバを行える無線通信システムを提供する。
2010098035.tif 000002
【特許請求の範囲】
【請求項１】
端末装置がアクセス可能なＣＳＧ（Closed  Subscriber  Group）セルを列挙したホワイトリストを生成するモビリティ管理装置と、前記ホワイトリストに基づいてアクセスの可否を決定するホーム基地局交換装置とを有する無線通信ネットワークにおいて用いられる端末装置であって、
前記ホワイトリストを記憶したホワイトリスト記憶部と、
手動によるＣＳＧセルの選択を受け付け、選択されたＣＳＧセルが前記ホワイトリスト記憶部に記憶されていない場合に、そのＣＳＧセルの前記ホワイトリストへの追加を前記モビリティ管理装置に要求する手動選択実行部と、
周辺のＣＳＧセルの電波の受信品質を測定し、測定報告メッセージを生成する測定報告メッセージ生成部であって、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する測定報告メッセージ生成部と、
前記測定報告メッセージを前記ＣＳＧセルのホーム基地局に送信する測定報告メッセージ送信部と、
を備える端末装置。
【請求項２】
前記測定報告メッセージ生成部は、受信品質が良い順にＣＳＧセルを並べたセルリストを含む測定報告メッセージを生成し、
選択されたＣＳＧセルを先頭に配置するように前記セルリストの順番を修正するセルリスト修正部を備える請求項１に記載の端末装置。
【請求項３】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局であって、
端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部であって、前記ホワイトリストの更新中であることを示す情報を検出したときに、前記ホワイトリストの更新中であることを示す情報を含むハンドオーバプレパレーションメッセージを生成する生成部と、
前記ハンドオーバプレパレーションメッセージを前記ホーム基地局交換装置に送信する送信部と、
を備えるホーム基地局。
【請求項４】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局であって、
端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部と、
前記ハンドオーバプレパレーションメッセージを前記ホーム基地局交換装置に送信する送信部であって、前記ホワイトリストの更新中であることを示す情報を検出したときには、前記ホーム基地局交換装置からのホワイトリスト更新の応答の受信を待って、前記ハンドオーバプレパレーションメッセージを送信する送信部と、
を備えるホーム基地局。
【請求項５】
前記送信部は、前記測定報告メッセージを受信してから所定の時間が経過したときには、前記ホワイトリスト更新の応答を受信していなくても前記ハンドオーバプレパレーションメッセージを送信する請求項４に記載のホーム基地局。
【請求項６】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局であって、
端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部と、
前記ハンドオーバプレパレーションメッセージを前記ホーム基地局交換装置に送信する送信部であって、前記ホワイトリストの更新中であることを示す情報を検出したときには、前記測定報告メッセージを受信してから所定の時間の経過後に、前記ハンドオーバプレパレーションメッセージを送信する送信部と、
を備えるホーム基地局。
【請求項７】
端末装置がアクセス可能なＣＳＧセルを列挙したホワイトリストを生成するモビリティ管理装置と接続され、前記ホワイトリストに基づいて前記ＣＳＧセルに対する端末装置のアクセスの可否を決定するホーム基地局交換装置であって、
前記ＣＳＧセルのホーム基地局から送信されるハンドオーバプレパレーションメッセージを受信する受信部と、
前記ハンドオーバプレパレーションメッセージに、前記ホワイトリストの更新中であることを示す情報が含まれているか否かを検出する検出部と、
前記ハンドオーバプレパレーションメッセージを受信したときにハンドオーバ先を決定する決定部であって、前記ホワイトリストの更新中であることを示す情報を検出したときには、前記モビリティ管理装置からのホワイトリスト更新の応答の受信を待って、ハンドオーバ先を決定する決定部と、
を備えるホーム基地局交換装置。
【請求項８】
前記ホワイトリスト更新の応答として、更新後のホワイトリストを受信する請求項７に記載のホーム基地局交換装置。
【請求項９】
前記ホワイトリスト更新の応答として、前記ホワイトリストの更新失敗を示す応答を受信する請求項７に記載のホーム基地局交換装置。
【請求項１０】
前記決定部は、前記ハンドオーバプレパレーションメッセージを受信してから所定の時間が経過したときには、前記ホワイトリスト更新の応答を受信していなくても、ハンドオーバ先の決定を行う請求項７に記載のホーム基地局交換装置。
【請求項１１】
端末装置がアクセス可能なＣＳＧセルを列挙したホワイトリストを生成するモビリティ管理装置と接続され、前記ホワイトリストに基づいて前記ＣＳＧセルに対する端末装置のアクセスの可否を決定するホーム基地局交換装置であって、
前記ＣＳＧセルのホーム基地局から送信されるハンドオーバプレパレーションメッセージを受信する受信部と、
前記ハンドオーバプレパレーションメッセージに、前記ホワイトリストの更新中であることを示す情報が含まれているか否かを検出する検出部と、
前記ハンドオーバプレパレーションメッセージを受信したときにハンドオーバ先を決定する決定部であって、前記ホワイトリストの更新中であることを示す情報を検出したときには、前記ハンドオーバプレパレーションメッセージを受信してから所定の時間の経過後にハンドオーバ先を決定する決定部と、
を備えるホーム基地局交換装置。
【請求項１２】
端末装置がアクセス可能なＣＳＧセルを列挙したホワイトリストを生成し、生成したホワイトリストをホーム基地局交換装置に通知するモビリティ管理装置であって、
前記ホワイトリストを記憶したホワイトリスト記憶部と、
前記ホワイトリストの更新要求を前記ホーム基地局交換装置から受信するホワイトリスト更新要求受信部と、
前記ホワイトリスト更新要求に基づいて前記ホワイトリスト記憶部に記憶されたホワイトリストを更新するホワイトリスト更新部と、
前記ホワイトリスト更新部にてホワイトリストの更新に失敗したときに、ホワイトリストの更新失敗メッセージを前記ホーム基地局交換装置に送信する更新失敗メッセージ送信部と、
を備えるモビリティ管理装置。
【請求項１３】
端末装置がアクセス可能なＣＳＧセルを列挙したホワイトリストを生成するモビリティ管理装置と、前記ホワイトリストに基づいてアクセスの可否を決定するホーム基地局交換装置と、前記ＣＳＧセルのホーム基地局と、端末装置とを備え、
前記端末装置は、
前記ホワイトリストを記憶したホワイトリスト記憶部と、
手動によるＣＳＧセルの選択を受け付け、選択されたＣＳＧセルが前記ホワイトリスト記憶部に記憶されていない場合に、そのＣＳＧセルの前記ホワイトリストへの追加をモビリティ管理装置に要求する手動選択実行部と、
周辺のＣＳＧセルの電波の受信品質を測定し、測定報告メッセージを生成する測定報告メッセージ生成部であって、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する測定報告メッセージ生成部と、
前記測定報告メッセージを前記ＣＳＧセルのホーム基地局に送信する測定報告メッセージ送信部とを有し、
前記ホーム基地局は、
前記端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部であって、前記ホワイトリストの更新中であることを示す情報を検出したときに、前記ホワイトリストの更新中であることを示す情報を含むハンドオーバプレパレーションメッセージを生成する生成部と、
前記ハンドオーバプレパレーションメッセージを前記ホーム基地局交換装置に送信する送信部とを有し、
前記ホーム基地局交換装置は、
前記ホーム基地局から送信される前記ハンドオーバプレパレーションメッセージを受信する受信部と、
前記ハンドオーバプレパレーションメッセージに、前記ホワイトリストの更新中であることを示す情報が含まれているか否かを検出する検出部と、
前記ハンドオーバプレパレーションメッセージを受信したときにハンドオーバ先を決定する決定部であって、前記ホワイトリストの更新中であることを示す情報を検出したときには、前記モビリティ管理装置からのホワイトリスト更新の応答の受信を待って、ハンドオーバ先を決定する決定部と、
を備える無線通信システム。
【請求項１４】
端末装置がアクセス可能なＣＳＧ（Closed  Subscriber  Group）セルを列挙したホワイトリストを生成するモビリティ管理装置と、前記ホワイトリストに基づいてアクセスの可否を決定するホーム基地局交換装置とを有する無線通信ネットワークにおいて用いられる端末装置のハンドオーバ時の制御方法であって、
手動によるＣＳＧセルの選択を受け付け、選択されたＣＳＧセルがホワイトリストを記憶した記憶部に記憶されていない場合に、そのＣＳＧセルの前記ホワイトリストへの追加をモビリティ管理装置に要求するステップと、
周辺のＣＳＧセルの電波の受信品質を測定し、測定報告メッセージを生成するステップと、
前記測定報告メッセージを前記ＣＳＧセルのホーム基地局に送信するステップとを備え、
前記測定報告メッセージを生成するステップでは、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する端末装置の制御方法。
【請求項１５】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局によるハンドオーバの制御方法であって、
端末装置から送信される測定報告メッセージを受信するステップと、
前記測定報告メッセージに、前記ホワイトリストの更新中であることを示す情報が含まれているか否かを検出するステップと、
前記測定報告メッセージに応じてハンドオーバプレパレーションメッセージを生成するステップであって、前記ホワイトリストの更新中であることを示す情報を検出したときに、前記ホワイトリストの更新中であることを示す情報を含むハンドオーバプレパレーションメッセージを生成するステップと、
前記ハンドオーバプレパレーションメッセージを前記ホーム基地局交換装置に送信するステップと、
を備えるハンドオーバの制御方法。
【請求項１６】
端末装置がアクセス可能なＣＳＧセルを列挙したホワイトリストを生成するモビリティ管理装置と接続され、前記ホワイトリストに基づいて前記ＣＳＧセルに対する端末装置のアクセスの可否を決定するホーム基地局交換装置によるハンドオーバの制御方法であって、
前記ＣＳＧセルのホーム基地局から送信されるハンドオーバプレパレーションメッセージを受信するステップと、
前記ハンドオーバプレパレーションメッセージに、前記ホワイトリストの更新中であることを示す情報が含まれているか否かを検出するステップと、
前記ハンドオーバプレパレーションメッセージを受信したときにハンドオーバ先を決定するステップであって、前記ホワイトリストの更新中であることを示す情報を検出したときには、前記モビリティ管理装置からのホワイトリスト更新の応答の受信を待って、ハンドオーバ先を決定するステップと、
を備えるホーム基地局交換装置によるハンドオーバの制御方法。
【請求項１７】
端末装置がアクセス可能なＣＳＧセルを列挙したホワイトリストを生成し、生成したホワイトリストをホーム基地局交換装置に通知するモビリティ管理装置によるホワイトリストの更新方法であって、
前記ホワイトリストの更新要求を前記ホーム基地局交換装置から受信するステップと、
前記ホワイトリスト更新要求に基づいて記憶部に記憶されたホワイトリストを更新するステップと、
前記ホワイトリスト更新部にてホワイトリストの更新に失敗したときに、ホワイトリストの更新失敗メッセージを前記ホーム基地局交換装置に送信するステップと、
を備えるホワイトリストの更新方法。
【発明の詳細な説明】
【関連する出願】
【０００１】
本出願では、２００９年２月２４日に日本国に出願された特許出願番号２００９−０４１４７８の利益を主張し、当該出願の内容は引用することによりここに組み込まれているものとする。
【技術分野】
【０００２】
本発明は、端末装置にアクセス制限をかけることが可能なＣＳＧセルへのハンドオーバを行う無線通信システムに関し、特に、ＣＳＧセルの手動選択（マニュアルセレクション）を行える無線通信システムに関する。
【背景技術】
【０００３】
［ＣＳＧ（Closed  Subscriber  Group）セル］
３ＧＰＰでは、屋内用のホーム基地局（Home  ｅＮＢ:以下、「ＨｅＮＢ」という）を設置してＣＳＧセルを構築することが検討されている（３ＧＰＰ  ＴＳ３６．３００  Ｖｅｒ．８．７．０）。図２４に示すように通常の基地局（ｅＮＢ）が構築するセル（マクロセル）の中にＣＳＧセルが構築される。ＨｅＮＢはｅＮＢと異なり、アクセスできる端末（User  Equipment：以下、「ＵＥ」という）を制限することができる機能が設けられており、ＵＥはアクセス許可のあるＨｅＮＢにしか接続できない。ＵＥは、緊急時を除き、どんなに受信品質のよいＨｅＮＢを検出してもアクセス許可がなければ接続できない。【０００４】
ＵＥがＨｅＮＢのアクセス許可を確認するためにはＨｅＮＢから送信される報知情報に含まれるセル識別情報（セルＩＤ）を確認する必要がある。セルＩＤにはローカルにｅＮＢを識別する物理セルＩＤ（Physical  Cell  ID：ＰＣＩ）とＣＳＧセルを識別するＣＳＧ  ＩＤなどがある。以下、「セルＩＤ」は、後者のＣＳＧ  ＩＤの意味で用いる。ＵＥは、ネットワークから通知されるアクセス可能なＣＳＧセルのセルＩＤリスト（ホワイトリスト）と報知情報から受信したセルＩＤを照合して、検出したＣＳＧセルの持つセルＩＤがホワイトリストに含まれていればアクセス可能と判断する。【０００５】
ＣＳＧセルに接続することにより、高速・高品質通信や低額通信、ＣＳＧセル独自のサービスなどを実現できる。ＵＥは、アクセス許可があれば、なるべくＣＳＧセルへの接続を希望すると考えられる。【０００６】
ＨｅＮＢは、ＨｅＮＢゲートウェイ（図では「ＨｅＮＢ  ＧＷ」と記載）と呼ばれるゲートウェイにつながる。ＨｅＮＢゲートウェイ配下のＨｅＮＢ間のハンドオーバ時に、ネットワークのリソース確保はＨｅＮＢゲートウェイとＨｅＮＢ間で終端される。最終的なハンドオーバ先の決定処理（Admission  Control：以下「アドミッションコントロール処理」という）は、ＨｅＮＢゲートウェイで実行されると考えられる。モビリティ管理装置（Mobility  Management  Entity：以下、「ＭＭＥ」という）は、位置登録メッセージなどのＮＡＳメッセージのネットワーク側の終端である。ホワイトリストの情報は個々のＵＥの情報である。セキュリティの観点から、各家庭で所有されることを想定しているＨｅＮＢは、ホワイトリストの情報を持たない。一方、ＨｅＮＢゲートウェイやＭＭＥは、オペレータが管理するため、ホワイトリストを持つことができる。【０００７】
［ＣＳＧセル間のハンドオーバ］
図２５は、ハンドオーバ処理を示す図である。ＵＥは、ＣＳＧセル間でハンドオーバをするために、まず周辺の基地局からの信号の受信品質を測定する（Measurement）。次に、ＵＥは、受信品質の良い基地局を検出して、検出結果を測定報告メッセージ（Measurement  report  message）を使って現在接続中の基地局（ソースＨｅＮＢ）に通知する。測定報告メッセージを受信したソースＨｅＮＢは、ハンドオーバをするために必要な情報やハンドオーバ先のセル（ターゲットセル）の情報をＨｅＮＢゲートウェイに通知する。ここでの通知には、ハンドオーバプレパレーションメッセージ（Handover  preparation  message：以下、「ＨＯプレパレーション」という）を用いる。【０００８】
ＨｅＮＢゲートウェイは、ホワイトリストを参照して、ＨＯプレパレーションで通知されたターゲットセルに対してＵＥがアクセス許可されているかどうかを確認する。アクセス許可がある場合、ＨｅＮＢゲートウェイは、ターゲットセルにハンドオーバに必要な設定情報を通知する。ここでの通知には、ＨＯプレパレーションを用いる。ＨｅＮＢゲートウェイは、ＵＥに、ハンドオーバするために必要な設定情報をソースＨｅＮＢを介して通知する。ＨｅＮＢゲートウェイからソースＨｅＮＢへはＨＯプレパレーション応答メッセージを用い、ソースＨｅＮＢからＵＥへはＨＯ実行命令を用いる。
【発明の概要】
【発明が解決しようとする課題】
【０００９】
３ＧＰＰでは、手動でユーザが希望するＣＳＧセルを選択するマニュアルセレクション（Manual  Selection）が検討されている。ここでマニュアルセレクションについて説明する。マニュアルセレクションでは、まずＵＥが周辺のＣＳＧセルをサーチする。ＵＥは、サーチした結果をディスプレイに表示し、ユーザがサーチ結果を確認できるようにする。ユーザがディスプレイに表示されたＣＳＧセルのリストの中から、接続したいＣＳＧセルを選択すると、ホワイトリストを更新し、それまでホワイトリストに入っていなかったＣＳＧセルへのアクセスを可能にする。しかしながら、マニュアルセレクションによるホワイトリストの更新とハンドオーバはそれぞれ独立に実行されるため、マニュアルセレクションによりユーザの希望したセルにハンドオーバできない可能性が高い。【００１０】
本発明は、上記背景に鑑み、マニュアルセレクション処理を適切に反映してハンドオーバを行える無線通信システムおよびＣＳＧハンドオーバ方法を提供することを目的とする。
【課題を解決するための手段】
【００１１】
本発明の無線通信システムは、端末装置がアクセス可能なＣＳＧセルを列挙したホワイトリストを生成するモビリティ管理装置と、前記ホワイトリストに基づいてアクセスの可否を決定するホーム基地局交換装置と、前記ＣＳＧセルのホーム基地局と、端末装置とを備える。【００１２】
前記端末装置は、前記ホワイトリストを記憶したホワイトリスト記憶部と、手動によるＣＳＧセルの選択を受け付け、選択されたＣＳＧセルが前記ホワイトリスト記憶部に記憶されていない場合に、そのＣＳＧセルの前記ホワイトリストへの追加を前記モビリティ管理装置に要求する手動選択実行部と、周辺のＣＳＧセルの電波の受信品質を測定し、測定報告メッセージを生成する測定報告メッセージ生成部であって、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する測定報告メッセージ生成部と、前記測定報告メッセージを前記ＣＳＧセルのホーム基地局に送信する測定報告メッセージ送信部とを有する。【００１３】
前記ホーム基地局は、端末装置から送信される測定報告メッセージを受信する測定報告メッセージ受信部と、前記測定報告メッセージに、前記ホワイトリストの更新中であることを示す情報が含まれているか否かを検出する検出部と、前記測定報告メッセージに応じてハンドオーバプレパレーションメッセージを生成する生成部であって、前記ホワイトリストの更新中であることを示す情報を検出したときに、前記ホワイトリストの更新中であることを示す情報を含むハンドオーバプレパレーションメッセージを生成する生成部と、前記ハンドオーバプレパレーションメッセージを前記ホーム基地局交換装置に送信する送信部とを有する。【００１４】
前記ホーム基地局交換装置は、前記ホーム基地局から送信される前記ハンドオーバプレパレーションメッセージを受信する受信部と、前記ハンドオーバプレパレーションメッセージに、前記ホワイトリストの更新中であることを示す情報が含まれているか否かを検出する検出部と、前記ハンドオーバプレパレーションメッセージを受信したときにハンドオーバ先を決定する決定部であって、前記ホワイトリストの更新中であることを示す情報を検出したときには、前記モビリティ管理装置からのホワイトリスト更新の応答の受信を待って、ハンドオーバ先を決定する決定部とを備える。【００１５】
このように、手動選択によって、ＣＳＧセルのホワイトリストへの追加がなされた後で、測定報告メッセージを送信する際には、端末装置は、測定報告メッセージにホワイトリストの更新中であることを示す情報を付加する。ホワイトリストの更新要求は、例えば、ＮＡＳメッセージによりモビリティ管理装置に送信されるため、ホーム基地局交換装置は、ホワイトリストの更新中であることを認識できないが、本発明の構成により、ホーム基地局交換装置はホワイトリストの更新中であることを認識できる。【００１６】
ホーム基地局交換装置は、測定報告メッセージにホワイトリストの更新中の情報が含まれていた場合には、モビリティ管理装置からのホワイトリスト更新の応答の受信を待って、ハンドオーバ先を決定するので、手動選択されたＣＳＧセルが追加されたホワイトリストに基づいてハンドオーバ先を決定できる。
【発明の効果】
【００１７】
本発明によれば、端末装置がホワイトリスト更新中を示す情報を含む測定報告メッセージを送信するので、ホワイトリストの手動更新要求と測定報告メッセージとが競合する場合にも、ホーム基地局装置は、更新後のホワイトリストに基づいてハンドオーバ先を決定することができ、適切にハンドオーバ先を選択することができるというすぐれた効果を有する。【００１８】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００１９】
【図１】図１は、第１の実施の形態の無線通信システムのハンドオーバの処理手順の概略を示す図
【図２】図２は、第１の実施の形態のＵＥの構成を示す図
【図３】図３は、第１の実施の形態のソースＨｅＮＢの構成を示す図
【図４】図４は、第１の実施の形態のＨｅＮＢゲートウェイの構成を示す図
【図５】図５は、第１の実施の形態のハンドオーバ時の各エンティティの動作を示す図
【図６】図６は、第１の実施の形態のハンドオーバ時の各エンティティの動作を示す図
【図７】図７は、第１の実施の形態のハンドオーバ時の各エンティティの動作を示す図
【図８】図８は、第１の実施の形態のハンドオーバ時の各エンティティの動作を示す図
【図９】図９は、第２の実施の形態のＭＭＥの構成を示す図
【図１０】図１０は、第２実施の形態のＨｅＮＢゲートウェイの構成を示す図
【図１１】図１１は、第２の実施の形態のハンドオーバの動作を示す図
【図１２】図１２は、第２の実施の形態のハンドオーバの動作を示す図
【図１３】図１３は、第３の実施の形態のＨｅＮＢゲートウェイの構成を示す図
【図１４】図１４は、第３の実施の形態のハンドオーバの動作を示す図
【図１５】図１５は、第３の実施の形態のハンドオーバの動作を示す図
【図１６】図１６は、第４の実施の形態のＵＥの構成を示す図
【図１７】図１７は、セルリスト修正前の測定報告メッセージを示す図
【図１８】図１８は、セルリスト修正後の測定報告メッセージを示す図
【図１９】図１９は、第４の実施の形態のハンドオーバの動作を示す図
【図２０】図２０は、第５の実施の形態のソースＨｅＮＢの構成を示す図
【図２１】図２１は、第５の実施の形態のＨｅＮＢゲートウェイの構成を示す図
【図２２】図２２は、第５の実施の形態のハンドオーバの動作を示す図
【図２３】図２３は、第５の実施の形態のハンドオーバの動作を示す図
【図２４】図２４は、ＣＳＧセルシステムのアーキテクチャ構成を示す図
【図２５】図２５は、ＣＳＧセル間ハンドオーバ処理手順を示す図
【発明を実施するための形態】
【００２０】
以下に、本発明の詳細な説明を述べる。以下に説明する実施の形態は本発明の単なる例であり、本発明が様々な態様に変形することができる。従って、以下に開示する特定の構成および機能は、請求の範囲を限定するものではない。
【００２１】
以下、本発明の実施の形態のハンドオーバ方法について図面を参照して説明する。
（第１の実施の形態）
図１は、第１の実施の形態のハンドオーバ方法の概要を示すフローチャートである。最初に、図１を参照して概要を説明する。本実施の形態では、マニュアルセレクションによりホワイトリストの更新中であるという情報を、ＵＥ１０からネットワーク側の各エンティティ（Entity）に通知することで、各エンティティが協調してハンドオーバ処理を実行する。
【００２２】
マニュアルセレクション処理（Ｓ１０）によりユーザが選択したＣＳＧセルがホワイトリストに含まれていない場合には、ＵＥ１０は、ユーザが選択したＣＳＧセルをホワイトリストに追加するマニュアル更新（Manual  update）処理を実行する。具体的には、ＵＥ１０は、ユーザが選択したＣＳＧセルのセルＩＤを含む位置登録メッセージ（これを「ホワイトリスト更新要求」という）を、ソースＨｅＮＢ３０およびＨｅＮＢゲートウェイ５０を介してＭＭＥ７０に送信する（Ｓ１２，Ｓ１４，Ｓ１６）。ＭＭＥ７０は位置登録メッセージを受信すると、そのホワイトリスト更新要求に含まれるユーザ所望のＣＳＧセルのセルＩＤをホワイトリストに追加する（Ｓ１８）。
【００２３】
ホワイトリスト更新中に、ＵＥ１０が隣接基地局の受信品質を測定し（Ｓ２０）、測定報告メッセージをソースＨｅＮＢ３０に送信するときは、現在ホワイトリスト更新中であることを示すフラグ（ホワイトリスト更新フラグ）を測定報告メッセージに挿入する（Ｓ２２）。ソースＨｅＮＢ３０は、測定報告メッセージを受信すると、ハンドオーバの設定情報を含むＨＯプレパレーションをＨｅＮＢゲートウェイ５０に送信する（Ｓ２４）。ソースＨｅＮＢ３０は、測定報告メッセージからマニュアル更新フラグを検出すると、ホワイトリスト更新中であると判断し、ＨＯプレパレーションにマニュアル更新フラグを挿入する（Ｓ２４）。
【００２４】
ＨｅＮＢゲートウェイ５０はソースＨｅＮＢ３０から受信したＨＯプレパレーションにマニュアル更新フラグを検出すると、ＨｅＮＢゲートウェイ５０は現在ホワイトリスト更新中であると判断する。ＨｅＮＢゲートウェイ５０は、ハンドオーバ先となるターゲットセルを決定するアドミッションコントロール処理を、マニュアル更新により更新されたホワイトリストをＭＭＥ７０から受信するまで遅延させる（Ｓ２６）。
【００２５】
ＨｅＮＢゲートウェイ５０は、更新されたホワイトリストを受信すると（Ｓ２８）、アドミッションコントロール処理を実行してターゲットセルを決定する（Ｓ３０）。その後の処理は、通常のハンドオーバの処理手順と同様である。具体的には、ＨｅＮＢゲートウェイ５０は、ソースＨｅＮＢ３０にＨＯプレパレーション応答を送信し（Ｓ３２）、これを受けたソースＨｅＮＢ３０はＵＥ３０にハンドオーバ実行命令を送信する（Ｓ３４）。次に、ＨｅＮＢゲートウェイ５０は、ターゲットＨｅＮＢ８０にＨＯプレパレーションを送信する（Ｓ３６）。これにより、ＵＥ１０は、マニュアルセレクションにより選択されたユーザ所望のＣＳＧセルにハンドオーバすることが可能となる。
【００２６】
一方、マニュアルセレクション処理によりユーザが選択したＣＳＧセルが、既にホワイトリストに含まれている場合、あるいは、ＵＥ１０がソースＨｅＮＢ３０に送信する測定報告メッセージにユーザが選択したＣＳＧセルが含まれない場合には、通常のハンドオーバ処理を実行する。
【００２７】
次に、本実施の形態の無線通信システムを構成する各エンティティについて説明する。
図２は、ＵＥ１０の構成を示す図である。ＵＥ１０は、基地局との通信を行う基地局通信インターフェース（図では「基地局通信ＩＦ」と記載）１１と、アクセス許可されたＣＳＧセルの情報（すなわち、ホワイトリスト）を記憶したホワイトリスト記憶部１２と、ＵＥ１０の各種の制御を行う制御部１３とを有している。
【００２８】
制御部１３は、測定部１４と、ＮＡＳメッセージ受信部１５と、マニュアルセレクション実行部１６と、ホワイトリスト更新要求生成送信部１７と、測定報告メッセージ生成送信部１８と、ハンドオーバ実行命令受信部２０と、ハンドオーバ実行部２１とを有している。
【００２９】
ＮＡＳメッセージ受信部１５は、ＮＡＳメッセージとして送信される更新されたホワイトリストの情報を受信し、ホワイトリスト記憶部１２に記憶する。測定部１４は、基地局からの電波の電波強度を測定する。測定報告メッセージ生成送信部１８は、測定結果に基づいて測定報告メッセージを生成し、ソースＨｅＮＢ３０へ送信する。本実施の形態では、測定報告メッセージ生成送信部１８は、マニュアルセレクションの実行中には、フラグ生成部１９にてホワイトリスト更新中であることを示すフラグを生成し、測定報告に付加する。ここで、フラグは、ホワイトリスト更新中であるか否かを示せればよいので、情報量は１ビットでよい。１ビットのフラグを既存のメッセージに挿入するだけで、ホワイトリスト更新中であることをＨｅＮＢゲートウェイ５０に通知できる。
【００３０】
マニュアルセレクション実行部１６は、周辺のＣＳＧセルをディスプレイに表示し、ユーザに所望のＣＳＧセルを選択させ、選択されたＣＳＧセルがホワイトリストに入っていなかった場合に、その旨をホワイトリスト更新要求生成送信部１７に通知する。ホワイトリスト更新要求生成送信部１７は、位置登録（Tracking  Area  Update）メッセージにユーザが選択したＣＳＧセルのセルＩＤを含めてホワイトリスト更新要求を生成し、ＭＭＥ７０に送信する。
【００３１】
ハンドオーバ実行命令受信部２０は、ハンドオーバの実行命令を受信し、ハンドオーバ実行部２１に通知する。ハンドオーバ実行部２１は、ハンドオーバを実行する。
【００３２】
図３は、ソースＨｅＮＢ３０の構成を示す図である。ソースＨｅＮＢ３０は、ＨｅＮＢゲートウェイ５０と通信を行うホーム基地局交換装置通信インターフェース（図では「ＨｅＮＢゲートウェイ通信ＩＦ」と記載）３１と、ＵＥ１０との通信を行うＵＥ通信インターフェース（図では「ＵＥ通信ＩＦ」と記載）３２と、ソースＨｅＮＢ３０を制御する制御部３３とを有している。
【００３３】
制御部３３は、ＮＡＳメッセージ送受信部３４と、測定報告メッセージ受信部３５と、ハンドオーバプレパレーション生成送信部（以下、「ＨＯプレパレーション生成送信部」という）３７と、ＨＯプレパレーション応答受信部３９と、ハンドオーバ実行命令送信部４０とを有している。ＮＡＳメッセージ送受信部３４は、ＮＡＳメッセージとして、ホワイトリスト更新要求や更新されたホワイトリストを送受信する。
【００３４】
測定報告メッセージ受信部３５は、ＵＥ１０からの測定報告メッセージを受信すると、ＨＯプレパレーション生成送信部３７にその旨を通知する。ＨＯプレパレーション生成送信部３７は、ＨＯプレパレーションを生成し、ＨｅＮＢゲートウェイ５０に送信する。本実施の形態の測定報告メッセージ受信部３５は、フラグ検出部３６にて、測定報告メッセージにホワイトリスト更新のフラグが入っているか否かを検出する。フラグ検出部３６は、フラグを検出した場合、フラグの情報をＨＯプレパレーション生成送信部３７に渡す。ＨＯプレパレーション生成送信部３７は、フラグの情報を受け取った場合には、フラグの情報を付加したＨＯプレパレーションを生成する。
【００３５】
ＨＯプレパレーション応答受信部３９は、ＨｅＮＢゲートウェイ５０からハンドオーバの可否を示す応答を受信し、受信した情報をハンドオーバ実行命令送信部４０に渡す。ハンドオーバ実行命令送信部４０は、ハンドオーバが可能な場合に、ハンドオーバ実行命令をＵＥ１０に送信する。
【００３６】
図４は、ＨｅＮＢゲートウェイ（図では、「ＨｅＮＢ  ＧＷ」と記載）５０の構成を示す図である。ＨｅＮＢゲートウェイ５０は、ＨｅＮＢと通信を行う基地局通信インターフェース（図では「基地局通信ＩＦと記載」）５１と、ホワイトリストを記憶するホワイトリスト記憶部５２と、ＭＭＥ７０との通信を行うＭＭＥ通信インターフェース（図では「ＭＭＥ通信ＩＦ」と記載）５３と、ＨｅＮＢゲートウェイ５０を制御する制御部５４とを有する。
【００３７】
制御部５４は、ＮＡＳメッセージ送受信部５５と、アドミッションコントロール部５６と、ＨＯプレパレーション送受信部５７と、ＨＯプレパレーション応答生成送信部５９とを有する。ＮＡＳメッセージ送受信部５５は、ＮＡＳメッセージとして、ホワイトリスト更新要求や更新されたホワイトリストを送受信する。
【００３８】
ＨＯプレパレーション送受信部５７は、ソースＨｅＮＢ３０から送信されたＨＯプレパレーションを受信し、受信した情報をアドミッションコントロール部５６に渡す。ＨＯプレパレーション送受信部５７は、フラグ検出部５８を有する。フラグ検出部５８は、ＨＯプレパレーションにホワイトリスト更新中であることを示すフラグが含まれているか否かを検出する。ホワイトリスト更新中であることを示すフラグが含まれている場合には、ＨＯプレパレーション送受信部５７は、アドミッションコントロール部５６にホワイトリスト更新中であることを示すフラグが含まれていた旨を通知する。
【００３９】
アドミッションコントロール部５６は、アドミッションコントロール処理を行い、ターゲットＨｅＮＢへのハンドオーバが可能か否かを決定する。ターゲットＨｅＮＢへのハンドオーバが不可能なときは、アドミッションコントロール部５６は、別のセルをハンドオーバ先として決定する。ホワイトリスト更新中を示すフラグを受信している場合には、アドミッションコントロール部５６は、ＭＭＥ７０から更新されたホワイトリストが送信されてくるのを待って、アドミッションコントロール処理を行う。
【００４０】
ＨＯプレパレーション応答生成送信部５９は、ＨＯプレパレーション応答を生成し、ソースＨｅＮＢ３０に送信する。
【００４１】
図５及び図６は、第１の実施の形態の無線通信システムの各エンティティの動作を詳細に示す図である。ＵＥ１０は、ユーザがマニュアルセレクションを行うと（Ｓ４０）、選択されたＣＳＧセルがホワイトリストに含まれていないか否かを判定する（Ｓ４２）。具体的には、ＵＥ１０は、ホワイトリスト記憶部１２に記憶されたホワイトリストを読み出して、選択されたＣＳＧセルのセルＩＤが含まれているか否かを確認する。
【００４２】
選択されたＣＳＧセルがホワイトリストに含まれていない場合には（Ｓ４２でＹｅｓ）、ＵＥ１０はホワイトリスト更新要求をソースＨｅＮＢ３０に送信する（Ｓ４４）。ソースＨｅＮＢ３０は、ホワイトリスト更新要求をＨｅＮＢゲートウェイ５０に送信し（Ｓ４６）、ＨｅＮＢゲートウェイ５０は、受信したホワイトリスト更新要求をＭＭＥ７０に送信する（Ｓ４８）。ＭＭＥ７０は、ホワイトリスト更新要求を受信するとホワイトリストの更新処理を行う（Ｓ５０）。
【００４３】
ＵＥ１０は、周辺のＨｅＮＢの電波の受信品質の測定を行い（Ｓ５２）、測定報告メッセージを送信するか否かの判定を行う（Ｓ５４）。測定報告メッセージを送信する場合には（Ｓ５４でＹｅｓ）、ＵＥ１０は、測定報告メッセージを生成する（Ｓ５６）。ＵＥ１０は、測定報告メッセージにマニュアルセレクションにて選択されたＣＳＧセルが含まれるか否かを判定する（Ｓ５８）。含まれると判定された場合には（Ｓ５８でＹｅｓ）、ＵＥ１０は、選択されたＣＳＧセルがホワイトリストに含まれていないか否かを判定する（Ｓ６０）。含まれていないと判定された場合には（Ｓ６０でＹｅｓ）、ＵＥ１０は測定報告メッセージにホワイトリスト更新中であることを示すフラグを付加する（Ｓ６２）。ＵＥ１０は、測定報告メッセージをソースＨｅＮＢ３０に送信する（Ｓ６４）。
【００４４】
ソースＨｅＮＢ３０は、測定報告を受信するとＨＯプレパレーションを生成する（Ｓ６６）。ソースＨｅＮＢ３０は、測定報告メッセージにホワイトリスト更新中フラグが含まれているか否かを判定する（Ｓ６８）。ホワイトリスト更新中フラグが含まれている場合には（Ｓ６８でＹｅｓ）、ソースＨｅＮＢ３０は、ＨＯプレパレーションにホワイトリスト更新中フラグを付加する（Ｓ７０）。ソースＨｅＮＢ３０は、ＨｅＮＢゲートウェイ５０にＨＯプレパレーションを送信する（Ｓ７２）。図５及び図６では、ホワイトリスト更新中フラグを付加したＨＯプレパレーションを送信した例を示している。
【００４５】
ＨｅＮＢゲートウェイ５０は、ＨＯプレパレーションを受信し、ＨＯプレパレーションにホワイトリスト更新中フラグが含まれていることを検出すると、アドミッションコントロール処理をすぐに行わずに、ＭＭＥ７０から更新されたホワイトリストが送信されてくるのを待つ。
【００４６】
ＭＭＥ７０から更新されたホワイトリストが送信されてくると（Ｓ７４）、ＨｅＮＢゲートウェイ５０は、ＮＡＳメッセージによって、更新されたホワイトリストの情報をソースＨｅＮＢ３０に送信し（Ｓ７６）、ソースＨｅＮＢ３０は、ＮＡＳメッセージをＵＥ１０に転送する（Ｓ７８）。
【００４７】
ＨｅＮＢゲートウェイ５０は、更新されたホワイトリストを受信したか否かを判定し（Ｓ８０）、ホワイトリストを受信すると（Ｓ８０でＹｅｓ）、ホワイトリスト記憶部５２のホワイトリストを更新した上で、ターゲットセルへのハンドオーバが可能か否かを判定するアドミッションコントロール処理を行う（Ｓ８２）。ＨｅＮＢゲートウェイ５０は、ＨＯプレパレーション応答をソースＨｅＮＢ３０に送信する（Ｓ８４）と共に、ＨＯプレパレーションをターゲットＨｅＮＢ８０に送信する（Ｓ８８）。ソースＨｅＮＢ３０は、ハンドオーバ実行命令をＵＥ１０に送信する（Ｓ８６）。
【００４８】
図７及び図８は、第１の実施の形態の無線通信システムの各エンティティの別の動作を詳細に示す図である。図７及び図８に示す無線通信システムの動作は、図５及び図６に示す無線通信システムの動作と基本的に同じである。図７及び図８では、マニュアルセレクションがなされてから（Ｓ４０）、ホワイトリストの更新要求を送信する（Ｓ４４）までの間に、測定報告メッセージの送信（Ｓ５２〜Ｓ６４）する例を示している。受信品質の測定を行うタイミングによっては、ホワイトリスト更新要求の送信前に、測定報告メッセージが送信されることになるが、このようにホワイトリストの更新要求を送信する前であっても、マニュアルセレクションがなされていれば、測定報告メッセージにホワイトリスト更新中のフラグを付加する。以上、第１の実施の形態の無線通信システムおよびハンドオーバ方法について説明した。
【００４９】
第１の実施の形態の無線通信システムは、マニュアルセレクションがなされた後に、選択されたＣＳＧセルを含む測定報告メッセージを送信する場合に、測定報告メッセージにホワイトリストの更新中を示すフラグを付加し、ＨｅＮＢゲートウェイ５０にホワイトリストの更新中である旨を伝える。ＨｅＮＢゲートウェイ５０は、測定報告メッセージに更新中のフラグを含む場合には、ＭＭＥ７０から更新されたホワイトリストが送信されてくるのを待って、アドミッションコントロール処理を行う。これにより、ホワイトリストへの追加が完了する前にアドミッションコントロール処理を行って、ユーザが選択したＣＳＧセルへのハンドオーバ不可と判定される不都合を防止し、マニュアルセレクションにて選択したＣＳＧセルに対してハンドオーバを行うことができる。
【００５０】
（第２の実施の形態）
次に、第２の実施の形態の無線通信システムについて説明する。第１の実施の形態は、ＭＭＥ７０によるホワイトリストの更新が成功した場合、つまりホワイトリストにユーザ所望のＣＳＧセルのセルＩＤを追加できた場合の処理手順について説明した。第２の実施の形態では、ＭＭＥ７０によりホワイトリストの更新が許可されなかったにも適切に動作する無線通信システムについて説明する。第２の実施の形態においてＵＥ、ソースＨｅＮＢの構成は、第１の実施の形態と同じである。
【００５１】
図９は、第２の実施の形態におけるＭＭＥ７０の構成を示す図である。ＭＭＥ７０は、ＨｅＮＢゲートウェイ５０と通信するためのホーム基地局交換装置インターフェース（図では、「ホーム基地局交換装置ＩＦ」と記載）７１と、ホワイトリストを記憶したホワイトリスト記憶部７２と、ＭＭＥ７０を制御する制御部７３とを有する。
【００５２】
制御部７３は、ＮＡＳメッセージ送受信部７４と、ホワイトリスト更新部７５と、更新失敗メッセージ送信部７６とを有している。ＮＡＳメッセージ送受信部７４は、ＮＡＳメッセージとして、ホワイトリスト更新メッセージと更新されたホワイトリストを送受信する。ホワイトリスト更新部７５は、ホワイトリスト記憶部７２に記憶されたホワイトリストを更新する。更新失敗メッセージ送信部７６は、ホワイトリスト更新部７５にてホワイトリストの更新を失敗したときにＨｅＮＢゲートウェイ５０に更新失敗メッセージを送信する。
【００５３】
図１０は、第２の実施の形態におけるＨｅＮＢゲートウェイ５０ａの構成を示す図である。第２の実施の形態のＨｅＮＢゲートウェイ５０ａは、第１の実施の形態のＨｅＮＢゲートウェイ５０の構成に加え、更新失敗メッセージを送受信する更新失敗メッセージ送受信部６０を有する。更新失敗メッセージ送受信部６０は、ＭＭＥ７０から送信されてきた更新失敗メッセージを受信する。
【００５４】
更新失敗メッセージ送受信部６０は、更新失敗メッセージを受信すると、更新失敗メッセージを受信した旨をアドミッションコントロール部５６に通知する。アドミッションコントロール部５６は、更新失敗メッセージを受信すると、ホワイトリスト記憶部５２に記憶されたホワイトリストに基づいてハンドオーバ先を決定する。また、更新失敗メッセージ送受信部６０は、更新失敗メッセージをソースＨｅＮＢ３０に送信する。
【００５５】
図１１及び図１２は、第２の実施の形態の無線通信システムによるハンドオーバの動作を示す図である。第２の実施の形態のハンドオーバの基本的な動作は、第１の実施の形態のハンドオーバの動作と同じであるが、ＭＭＥ７０にてホワイトリストの更新に失敗したときの動作が追加されている点が異なる。以下、追加された処理について説明する。
【００５６】
ＭＭＥ７０は、ホワイトリストの更新要求を受信すると（Ｓ４８）、ホワイトリストの更新が可能か否か判定する（Ｓ４９）。ホワイトリストの更新が不可能であると判定された場合（Ｓ４９でＮｏ）、ＭＭＥ７０は、更新失敗メッセージをＨｅＮＢゲートウェイ５０に送信する（Ｓ９０）。ＨｅＮＢゲートウェイ５０は、ＭＭＥ７０から受信したメッセージに従って、ＮＡＳメッセージによって、更新されたホワイトリストまたは更新失敗をソースＨｅＮＢ３０に送信する（Ｓ９２）。ソースＨｅＮＢ３０は、ＮＡＳメッセージを受信したか否かを判定し（Ｓ９４）、受信したと判定された場合（Ｓ９４でＹｅｓ）、ＵＥ１０に更新されたホワイトリストまたは更新失敗を送信する（Ｓ９６）。
【００５７】
ＨｅＮＢゲートウェイ５０は、更新されたホワイトリストまたは更新失敗メッセージを受信したか否かを判定する（Ｓ９８）。更新されたホワイトリストまたは更新失敗メッセージを受信したと判定されると（Ｓ９８でＹｅｓ）、アドミッションコントロール処理を行う（Ｓ１００）。
【００５８】
なお、更新失敗の場合、ＨｅＮＢゲートウェイ５０は、ホワイトリスト記憶部５２のホワイトリストの更新を行うことなく、アドミッションコントロール処理を行う。この場合、マニュアルセレクションにより選択されたＣＳＧセルへのハンドオーバは許可されず、別のセルがハンドオーバ先として決定される。
【００５９】
ＨｅＮＢゲートウェイ５０は、ソースＨｅＮＢ３０にＨＯプレパレーション応答を送信し（Ｓ１０２）、アドミッションコントロール処理に基づいて決定されたハンドオーバ先にＨＯプレパレーションを送信する（Ｓ１０６）。以上、第２の実施の形態の無線通信システムの構成および動作について説明した。
【００６０】
第２の実施の形態の無線通信システムでは、ＭＭＥ７０によるホワイトリスト更新に失敗したときに、ＨｅＮＢゲートウェイ５０は、ＭＭＥ７０から更新失敗メッセージを受信するので（Ｓ９０）、このメッセージを契機としてアドミッションコントロール処理（Ｓ１００）を開始することができる。従って、ＭＭＥ７０でのホワイトリスト更新に失敗した場合にも、アドミッションコントロール処理がいつまでも開始しないという不都合が生じることなく、適切なハンドオーバ処理を行える。
【００６１】
（第３の実施の形態）
次に、第３の実施の形態の無線通信システムについて説明する。第２の実施の形態は、ＭＭＥ７０から更新されたホワイトリストまたは更新失敗メッセージを受信した場合に、アドミッションコントロール処理を実行する処理手順について説明した。第３の実施の形態では、ＭＭＥ７０からＨｅＮＢゲートウェイ５０ａへホワイトリスト更新の結果が通知されない場合にも適切に動作する無線通信システムについて説明する。第３の実施の形態においてＵＥ、ＭＭＥ、ソースＨｅＮＢの構成は、第２の実施の形態と同じである。
【００６２】
図１３は、第３の実施の形態のＨｅＮＢゲートウェイ５０ｂの構成を示す図である。第３の実施の形態のＨｅＮＢゲートウェイ５０ｂは、第２の実施の形態のＨｅＮＢゲートウェイ５０ａの構成に加え、タイマー管理部６１を有している。タイマー管理部６１は、ＨＯプレパレーション送受信部５７にて、ソースＨｅＮＢ３０からＨＯプレパレーションを受信したときにタイマーを起動し、ＨＯプリパレーションの受信時からの経過時間を測定する。タイマー管理部６１は、ＮＡＳメッセージ送受信部５５により更新されたホワイトリストを受信した場合、または更新失敗メッセージ送受信部６０にて更新失敗メッセージを受信した場合に、タイマーをリセットする。タイマー管理部６１は、タイマーが所定の設定時間を越えた場合、あるいはタイマーの有効期限が切れた場合には、タイマーが切れたことをアドミッションコントロール部５６に通知し、アドミッションコントロール部５６は、アドミッションコントロール処理を実行する。
【００６３】
図１４及び図１５は、第３の実施の形態の無線通信システムによるハンドオーバの動作を示す図である。第３の実施の形態のハンドオーバの基本的な動作は、第２の実施の形態のハンドオーバの動作と同じであるが、ＭＭＥ７０からホワイトリスト更新に対するレスポンスがなかった場合の動作が追加されている点が異なる。以下、追加された処理について説明する。
【００６４】
ＨｅＮＢゲートウェイ５０は、ソースＨｅＮＢ３０からＨＯプレパレーションを受信すると（Ｓ７２）、タイマー管理部６１のタイマーを開始する（Ｓ７３）。ＨｅＮＢゲートウェイ５０は、更新されたホワイトリストまたは更新失敗メッセージを受信したか否かを判定し（Ｓ９８）、いずれも受信していない場合には（Ｓ９８でＮｏ）、タイマーがタイムアウトしたか否かを判定する（Ｓ９９）。
【００６５】
タイムアウトしたと判定された場合には（Ｓ９９でＹｅｓ）、ＨｅＮＢゲートウェイ５０は、アドミッションコントロール処理を開始する（Ｓ１００）。タイムアウトしていないと判定された場合には（Ｓ９９でＮｏ）、ＨｅＮＢゲートウェイ５０は、更新されたホワイトリストまたは更新失敗を受信したか否かを再度判定する（Ｓ９８）。すなわち、ＨｅＮＢゲートウェイ５０は、更新されたホワイトリストまたは更新失敗を受信したか否かをタイマーがタイムアウトするまで繰り返し判定する。以上、第３の実施の形態の無線通信システムの構成および動作について説明した。
【００６６】
第３の実施の形態では、ＨｅＮＢゲートウェイ５０は、ＨＯプレパレーションを受信すると（Ｓ７２）、ＭＭＥ７０から更新されたホワイトリストまたは更新失敗メッセージが送信されてくるまで、アドミッションコントロール処理を行わないで待つが、ＨＯプレパレーションを受信してから所定の時間が経過しても、更新されたホワイトリストまたは更新失敗メッセージを受信しない場合には、アドミッションコントロール処理を行う（Ｓ１００）。従って、ＭＭＥ７０からの通知が何らかの理由により受信できない場合に、ＭＭＥ７０からの通知を待ち続けるということがなく、適切なハンドオーバ処理を行える。
【００６７】
（第４の実施の形態）
次に、第４の実施の形態の無線通信システムについて説明する。通常、ＨＯプレパレーションに入れるハンドオーバ先となるターゲットセル候補として、ソースＨｅＮＢ３０で受信したＵＥ１０からの測定報告メッセージに含まれるセルの中でもっとも受信品質の良いセルが選択される。マニュアルセレクションにより選択されたＣＳＧセルの受信品質が最良でない場合、選択されたセルは、ＨＯプレパレーションのターゲットセル候補にならないため、マニュアル更新を実行したとしてもユーザ所望のセルにハンドオーバできない。本実施の形態では、マニュアルセレクションにより選択されたＣＳＧセルにハンドオーバする方法を示す。
【００６８】
図１６は、第４の実施の形態のＵＥ１０ａの構成を示す図である。第４の実施の形態におけるソースＨｅＮＢ、ＨｅＮＢゲートウェイ、ＭＭＥの構成は第３の実施の形態と同様である。
【００６９】
第４の実施の形態のＵＥ１０ａの基本的な構成は、第１〜第３の実施の形態のＵＥ１０と同じであるが、測定報告メッセージ生成送信部１８が、セルリスト修正部２２を有する点が異なる。通常、測定報告メッセージに含まれるセルリストは受信品質の良い順に並べられるが、セルリスト修正部２２は、マニュアルセレクションにより選択されたＣＳＧセルがセルリストの先頭にくるようにセルリストの順番を修正する。
【００７０】
図１７は、セルリスト修正部２２によるセルリストの修正がなされる前の測定報告メッセージの構成を示す図、図１８は、修正後の測定報告メッセージの構成を示す図である。図１７に示すように、セルリストには、測定結果が良かったセルから順にシーケンスＮｏが付され、並べられている。セルリスト修正部２２は、図１８に示すように、マニュアルセレクションにより選択されたＣＳＧセルのセルＩＤ（この例では、「７０」）が先頭になるようにセルリストを修正する。
【００７１】
図１９は、第４の実施の形態の無線通信システムによるハンドオーバの動作を示す図である。第４の実施の形態のハンドオーバの基本的な動作は、第３の実施の形態のハンドオーバの動作と同じである。第４の実施の形態においては、測定報告メッセージのセルリストにマニュアルセレクションにて選択されたＣＳＧセルが含まれていた場合には（Ｓ５８でＹｅｓ）、選択されたＣＳＧセルが先頭にくるように測定報告メッセージのセルリストを修正する処理（Ｓ５９）を有する。以上、第４の実施の形態の無線通信システムの構成および動作について説明した。
【００７２】
第４の実施の形態の無線通信システムでは、マニュアルセレクションにて選択されたＣＳＧセルを測定報告メッセージのセルリストの先頭に置くことで、選択されたＣＳＧセルが最も受信品質が良いと見えるようにする。これにより、本実施の形態ではソースＨｅＮＢ３０がＨｅＮＢゲートウェイ５０に送信するＨＯプレパレーションの中のターゲットセル候補としてマニュアルセレクションされたＣＳＧセルに設定することになり、選択されたＣＳＧセルへのハンドオーバが可能になる。
【００７３】
なお、本実施の形態では、選択されたＣＳＧセルをセルリストの先頭に持ってくるようにセルリストを修正する例について説明したが、ＵＥによる測定時に選択されたＣＳＧセルに対してのみオフセットを付加することで、選択されたＣＳＧセルの受信品質を見かけ上、最良に見せることも可能である。
【００７４】
（第５の実施の形態）
次に、第５の実施の形態の無線通信システムについて説明する。上記した実施の形態では、ＨｅＮＢゲートウェイ５０がアドミッションコントロール処理を行うタイミングを制御していたが、本実施の形態では、ソースＨｅＮＢ３０ａがＨＯプレパレーションを送信するタイミングを制御することにより、ホワイトリストへの追加が完了する前にアドミッションコントロール処理を行って、選択されたＣＳＧセルへのハンドオーバが不可と判断される不都合を防止する。
【００７５】
図２０は、第５の実施の形態のソースＨｅＮＢ３０ａの構成を示す図である。第５の実施の形態におけるＵＥ、ＭＭＥの構成は第３の実施の形態と同様であり、ＨｅＮＢゲートウェイ５０ｃの構成は、図２１に示すように図１０のハンドオーバプレペレーション送受信部５７からフラグ検出機能を除き、更新失敗メッセージ送受信部６０やＮＡＳメッセージ送受信部５５からアドミッションコントロール部５６への通知を省いたものである。
【００７６】
第５の実施の形態のソースＨｅＮＢ３０ａの基本的な構成は、第１〜第４の実施の形態のソースＨｅＮＢ３０と同じであるが、第１の実施の形態のソースＨｅＮＢ３０の構成に加え、タイマー管理部４１を有する点が異なっている。また、第５の実施の形態のソースＨｅＮＢ３０ａは、ＨＯプレパレーション生成送信部３７がフラグ生成部を備えていない点が異なる。
【００７７】
タイマー管理部４１は、測定報告メッセージ受信部３５にて、ホワイトリスト更新フラグを含む測定報告メッセージを受信した場合に、タイマーを起動し、測定報告メッセージの受信時からの経過時間を測定する。タイマー管理部４１は、ＮＡＳメッセージ送受信部３４にて、更新されたホワイトリストを受信した場合、タイマーをリセットする。タイマー管理部４１は、タイマーがリセットされた場合、あるいはタイマーが所定の設定時間を越えた場合に、その旨をＨＯプレパレーション生成送信部３７に通知する。ＨＯプレパレーション生成送信部３７は、タイマー管理部４１からの通知を受けて、ＨＯプレパレーションをＨｅＮＢゲートウェイ５０に送信する。
【００７８】
図２２及び図２３は、第５の実施の形態の無線通信システムによるハンドオーバの動作について説明する図である。第５の実施の形態において、ＵＥ１０から測定報告メッセージを受信してＨＯプレパレーションを生成する（Ｓ６６）までの動作は、第１の実施の形態と同じである。
【００７９】
ソースＨｅＮＢ３０は、測定報告メッセージがホワイトリストの更新中であることを示すフラグを含んでいるか否かを判定する（Ｓ６８）。フラグを含んでいる場合には（Ｓ６８でＹｅｓ）、ソースＨｅＮＢ３０のタイマー管理部４１は、タイマーを開始する（Ｓ７１）。
【００８０】
ソースＨｅＮＢ３０は、更新されたホワイトリストまたは更新失敗を示すＮＡＳメッセージをＨｅＮＢから受信したか否かを判定する（Ｓ９４）。この判定の結果、ＮＡＳメッセージを受信していない場合（Ｓ９４でＮｏ）、タイマーがタイムアウトしたか否かを判定する（Ｓ１１０）。タイムアウトしていない場合（Ｓ１１０でＮｏ）、ＮＡＳメッセージを受信したか否かの判定を再度行う（Ｓ９４）。すなわち、ソースＨｅＮＢ３０は、ＮＡＳメッセージを受信したか否かをタイマーがタイムアウトするまで繰り返し判定する。タイマーがタイムアウトした場合（Ｓ１１０でＹｅｓ）、または、ＮＡＳメッセージを受信した場合に（Ｓ９４でＹｅｓ）、ソースＨｅＮＢ３０は、ＨＯプレパレーションをＨｅＮＢゲートウェイ５０に送信する。以上、第５の実施の形態の無線通信システムの構成および動作について説明した。
【００８１】
第５の実施の形態では、ソースＨｅＮＢ３０からＨｅＮＢゲートウェイ５０にＨＯプレパレーションを送信するタイミングを遅くすることにより、ホワイトリストへの追加が完了する前にアドミッションコントロール処理を行って、マニュアルセレクションにより選択されたＣＳＧセルへのハンドオーバ不可と判定される不都合を防止し、適切なハンドオーバを実現する。
【００８２】
第５の実施の形態では、ＨＯプレパレーションに、ホワイトリスト更新中であることを示すフラグを付加する必要がなく、また、ＨｅＮＢゲートウェイも従来の構成を用いることができる。
【００８３】
以上、本発明の無線通信システムおよびハンドオーバ方法について、実施の形態を挙げて詳細に説明したが、本発明は上記した実施の形態に限定されるものではない。
【００８４】
上記した第４の実施の形態では、選択されたＣＳＧセルを測定報告メッセージのセルリストの先頭に持ってくることにより、選択されたＣＳＧセルをＨｅＮＢゲートウェイが識別できるようにする例について説明したが、ＨｅＮＢゲートウェイは、更新前のホワイトリストと更新後のホワイトリストとを比較することにより、更新されたＣＳＧセルを抽出し、マニュアルセレクションされたＣＳＧセルを求めてもよい。
【００８５】
以上に現時点で考えられる本発明の好適な実施の形態を説明したが、本実施の形態に対して多様な変形が可能であり、そして、本発明の真実の精神と範囲内にあるそのようなすべての変形を添付の請求の範囲が含むことが意図されている。
【産業上の利用可能性】
【００８６】
本発明は、ホワイトリストの手動更新要求と測定報告メッセージとが競合する場合にも、手動選択の結果を反映したホワイトリストを用いて、適切にハンドオーバ先を選択することができるというすぐれた効果を有し、ＣＳＧセルへのハンドオーバを行う無線通信システム等として有用である。
【符号の説明】
【００８７】
１０，１０ａ  ＵＥ
１１  基地局通信ＩＦ
１２  ホワイトリスト記憶部
１３  制御部
１４  測定部
１５  ＮＡＳメッセージ受信部
１６  マニュアルセレクション実行部
１７  ホワイトリスト更新要求生成送信部
１８  測定報告メッセージ生成送信部
１９  フラグ生成部
２０  ハンドオーバ実行命令受信部
２１  ハンドオーバ実行部
２２  セルリスト修正部
３０，３０ａ  ソースＨｅＮＢ
３１  ＨｅＮＢゲートウェイ通信ＩＦ
３２  ＵＥ通信ＩＦ
３３  制御部
３４  ＮＡＳメッセージ送受信部
３５  測定報告メッセージ受信部
３６  フラグ検出部
３７  ＨＯプレパレーション生成送信部
３８  フラグ生成部
３９  ＨＯプレパレーション応答受信部
４０  ハンドオーバ実行命令送信部
４１  タイマー管理部
５０，５０ａ，５０ｂ  ホーム基地局交換装置（ＨｅＮＢゲートウェイ）
５１  基地局通信ＩＦ
５２  ホワイトリスト記憶部
５３  ＭＭＥ通信ＩＦ
５４  制御部
５５  ＮＡＳメッセージ送受信部
５６  アドミッションコントロール部
５７  ＨＯプレパレーション送受信部
５８  フラグ検出部
５９  ＨＯプレパレーション応答生成送信部
６０  更新失敗メッセージ送受信部
６１  タイマー管理部
７０  モビリティ管理装置（ＭＭＥ）
７１  ＨｅＮＢゲートウェイ通信ＩＦ
７２  ホワイトリスト記憶部
７３  制御部
７４  ＮＡＳメッセージ送受信部
７５  ホワイトリスト更新部
７６  更新失敗メッセージ送信部
【図１】
2010098035.tif 000003
【図２】
2010098035.tif 000004
【図３】
2010098035.tif 000005
【図４】
2010098035.tif 000006
【図５】
2010098035.tif 000007
【図６】
2010098035.tif 000008
【図７】
2010098035.tif 000009
【図８】
2010098035.tif 000010
【図９】
2010098035.tif 000011
【図１０】
2010098035.tif 000012
【図１１】
2010098035.tif 000013
【図１２】
2010098035.tif 000014
【図１３】
2010098035.tif 000015
【図１４】
2010098035.tif 000016
【図１５】
2010098035.tif 000017
【図１６】
2010098035.tif 000018
【図１７】
2010098035.tif 000019
【図１８】
2010098035.tif 000020
【図１９】
2010098035.tif 000021
【図２０】
2010098035.tif 000022
【図２１】
2010098035.tif 000023
【図２２】
2010098035.tif 000024
【図２３】
2010098035.tif 000025
【図２４】
2010098035.tif 000026
【図２５】
2010098035.tif 000027
【手続補正書】
【提出日】平成23年5月25日(2011.5.25)
【手続補正１】
【補正対象書類名】明細書
【補正対象項目名】全文
【補正方法】変更
【補正の内容】
【発明の詳細な説明】
【関連する出願】
【０００１】
本出願では、２００９年２月２４日に日本国に出願された特許出願番号２００９−０４１４７８の利益を主張し、当該出願の内容は引用することによりここに組み込まれているものとする。
【技術分野】
【０００２】
本発明は、端末装置にアクセス制限をかけることが可能なＣＳＧセルへのハンドオーバを行う無線通信システムに関し、特に、ＣＳＧセルの手動選択（マニュアルセレクション）を行える無線通信システムに関する。
【背景技術】
【０００３】
［ＣＳＧ（Closed  Subscriber  Group）セル］
３ＧＰＰでは、屋内用のホーム基地局（Home  ｅＮＢ:以下、「ＨｅＮＢ」という）を設置してＣＳＧセルを構築することが検討されている（３ＧＰＰ  ＴＳ３６．３００  Ｖｅｒ．８．７．０）。図２４に示すように通常の基地局（ｅＮＢ）が構築するセル（マクロセル）の中にＣＳＧセルが構築される。ＨｅＮＢはｅＮＢと異なり、アクセスできる端末（User  Equipment：以下、「ＵＥ」という）を制限することができる機能が設けられており、ＵＥはアクセス許可のあるＨｅＮＢにしか接続できない。ＵＥは、緊急時を除き、どんなに受信品質のよいＨｅＮＢを検出してもアクセス許可がなければ接続できない。
【０００４】
ＵＥがＨｅＮＢのアクセス許可を確認するためにはＨｅＮＢから送信される報知情報に含まれるセル識別情報（セルＩＤ）を確認する必要がある。セルＩＤにはローカルにｅＮＢを識別する物理セルＩＤ（Physical  Cell  ID：ＰＣＩ）とＣＳＧセルを識別するＣＳＧ  ＩＤなどがある。以下、「セルＩＤ」は、後者のＣＳＧ  ＩＤの意味で用いる。ＵＥは、ネットワークから通知されるアクセス可能なＣＳＧセルのセルＩＤリスト（ホワイトリスト）と報知情報から受信したセルＩＤを照合して、検出したＣＳＧセルの持つセルＩＤがホワイトリストに含まれていればアクセス可能と判断する。
【０００５】
ＣＳＧセルに接続することにより、高速・高品質通信や低額通信、ＣＳＧセル独自のサービスなどを実現できる。ＵＥは、アクセス許可があれば、なるべくＣＳＧセルへの接続を希望すると考えられる。
【０００６】
ＨｅＮＢは、ＨｅＮＢゲートウェイ（図では「ＨｅＮＢ  ＧＷ」と記載）と呼ばれるゲートウェイにつながる。ＨｅＮＢゲートウェイ配下のＨｅＮＢ間のハンドオーバ時に、ネットワークのリソース確保はＨｅＮＢゲートウェイとＨｅＮＢ間で終端される。最終的なハンドオーバ先の決定処理（Admission  Control：以下「アドミッションコントロール処理」という）は、ＨｅＮＢゲートウェイで実行されると考えられる。モビリティ管理装置（Mobility  Management  Entity：以下、「ＭＭＥ」という）は、位置登録メッセージなどのＮＡＳメッセージのネットワーク側の終端である。ホワイトリストの情報は個々のＵＥの情報である。セキュリティの観点から、各家庭で所有されることを想定しているＨｅＮＢは、ホワイトリストの情報を持たない。一方、ＨｅＮＢゲートウェイやＭＭＥは、オペレータが管理するため、ホワイトリストを持つことができる。
【０００７】
［ＣＳＧセル間のハンドオーバ］
図２５は、ハンドオーバ処理を示す図である。ＵＥは、ＣＳＧセル間でハンドオーバをするために、まず周辺の基地局からの信号の受信品質を測定する（Measurement）。次に、ＵＥは、受信品質の良い基地局を検出して、検出結果を測定報告メッセージ（Measurement  report  message）を使って現在接続中の基地局（ソースＨｅＮＢ）に通知する。測定報告メッセージを受信したソースＨｅＮＢは、ハンドオーバをするために必要な情報やハンドオーバ先のセル（ターゲットセル）の情報をＨｅＮＢゲートウェイに通知する。ここでの通知には、ハンドオーバプレパレーションメッセージ（Handover  preparation  message：以下、「ＨＯプレパレーション」という）を用いる。
【０００８】
ＨｅＮＢゲートウェイは、ホワイトリストを参照して、ＨＯプレパレーションで通知されたターゲットセルに対してＵＥがアクセス許可されているかどうかを確認する。アクセス許可がある場合、ＨｅＮＢゲートウェイは、ターゲットセルにハンドオーバに必要な設定情報を通知する。ここでの通知には、ＨＯプレパレーションを用いる。ＨｅＮＢゲートウェイは、ＵＥに、ハンドオーバするために必要な設定情報をソースＨｅＮＢを介して通知する。ＨｅＮＢゲートウェイからソースＨｅＮＢへはＨＯプレパレーション応答メッセージを用い、ソースＨｅＮＢからＵＥへはＨＯ実行命令を用いる。
【発明の概要】
【発明が解決しようとする課題】
【０００９】
３ＧＰＰでは、手動でユーザが希望するＣＳＧセルを選択するマニュアルセレクション（Manual  Selection）が検討されている。ここでマニュアルセレクションについて説明する。マニュアルセレクションでは、まずＵＥが周辺のＣＳＧセルをサーチする。ＵＥは、サーチした結果をディスプレイに表示し、ユーザがサーチ結果を確認できるようにする。ユーザがディスプレイに表示されたＣＳＧセルのリストの中から、接続したいＣＳＧセルを選択すると、ホワイトリストを更新し、それまでホワイトリストに入っていなかったＣＳＧセルへのアクセスを可能にする。しかしながら、マニュアルセレクションによるホワイトリストの更新とハンドオーバはそれぞれ独立に実行されるため、マニュアルセレクションによりユーザの希望したセルにハンドオーバできない可能性が高い。
【００１０】
本発明は、上記背景に鑑み、マニュアルセレクション処理を適切に反映してハンドオーバを行える無線通信システムおよびＣＳＧハンドオーバ方法を提供することを目的とする。
【課題を解決するための手段】
【００１１】
本発明の無線通信システムは、端末装置がアクセス可能なＣＳＧセルを列挙したホワイトリストを生成するモビリティ管理装置と、前記ホワイトリストに基づいてアクセスの可否を決定するホーム基地局交換装置と、前記ＣＳＧセルのホーム基地局と、端末装置とを備える。
【００１２】
前記端末装置は、前記ホワイトリストを記憶したホワイトリスト記憶部と、手動によるＣＳＧセルの選択を受け付け、選択されたＣＳＧセルが前記ホワイトリスト記憶部に記憶されていない場合に、そのＣＳＧセルの前記ホワイトリストへの追加を前記モビリティ管理装置に要求する手動選択実行部と、周辺のＣＳＧセルの電波の受信品質を測定し、測定報告メッセージを生成する測定報告メッセージ生成部であって、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する測定報告メッセージ生成部と、前記測定報告メッセージを前記ＣＳＧセルのホーム基地局に送信する測定報告メッセージ送信部とを有する。
【００１３】
前記ホーム基地局は、端末装置から送信される測定報告メッセージを受信する測定報告メッセージ受信部と、前記測定報告メッセージに、前記ホワイトリストの更新中であることを示す情報が含まれているか否かを検出する検出部と、前記測定報告メッセージに応じてハンドオーバプレパレーションメッセージを生成する生成部であって、前記ホワイトリストの更新中であることを示す情報を検出したときに、前記ホワイトリストの更新中であることを示す情報を含むハンドオーバプレパレーションメッセージを生成する生成部と、前記ハンドオーバプレパレーションメッセージを前記ホーム基地局交換装置に送信する送信部とを有する。
【００１４】
前記ホーム基地局交換装置は、前記ホーム基地局から送信される前記ハンドオーバプレパレーションメッセージを受信する受信部と、前記ハンドオーバプレパレーションメッセージに、前記ホワイトリストの更新中であることを示す情報が含まれているか否かを検出する検出部と、前記ハンドオーバプレパレーションメッセージを受信したときにハンドオーバ先を決定する決定部であって、前記ホワイトリストの更新中であることを示す情報を検出したときには、前記モビリティ管理装置からのホワイトリスト更新の応答の受信を待って、ハンドオーバ先を決定する決定部とを備える。
【００１５】
このように、手動選択によって、ＣＳＧセルのホワイトリストへの追加がなされた後で、測定報告メッセージを送信する際には、端末装置は、測定報告メッセージにホワイトリストの更新中であることを示す情報を付加する。ホワイトリストの更新要求は、例えば、ＮＡＳメッセージによりモビリティ管理装置に送信されるため、ホーム基地局交換装置は、ホワイトリストの更新中であることを認識できないが、本発明の構成により、ホーム基地局交換装置はホワイトリストの更新中であることを認識できる。
【００１６】
ホーム基地局交換装置は、測定報告メッセージにホワイトリストの更新中の情報が含まれていた場合には、モビリティ管理装置からのホワイトリスト更新の応答の受信を待って、ハンドオーバ先を決定するので、手動選択されたＣＳＧセルが追加されたホワイトリストに基づいてハンドオーバ先を決定できる。
【発明の効果】
【００１７】
本発明によれば、端末装置がホワイトリスト更新中を示す情報を含む測定報告メッセージを送信するので、ホワイトリストの手動更新要求と測定報告メッセージとが競合する場合にも、ホーム基地局装置は、更新後のホワイトリストに基づいてハンドオーバ先を決定することができ、適切にハンドオーバ先を選択することができるというすぐれた効果を有する。
【００１８】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００１９】
【図１】図１は、第１の実施の形態の無線通信システムのハンドオーバの処理手順の概略を示す図
【図２】図２は、第１の実施の形態のＵＥの構成を示す図
【図３】図３は、第１の実施の形態のソースＨｅＮＢの構成を示す図
【図４】図４は、第１の実施の形態のＨｅＮＢゲートウェイの構成を示す図
【図５】図５は、第１の実施の形態のハンドオーバ時の各エンティティの動作を示す図
【図６】図６は、第１の実施の形態のハンドオーバ時の各エンティティの動作を示す図
【図７】図７は、第１の実施の形態のハンドオーバ時の各エンティティの動作を示す図
【図８】図８は、第１の実施の形態のハンドオーバ時の各エンティティの動作を示す図
【図９】図９は、第２の実施の形態のＭＭＥの構成を示す図
【図１０】図１０は、第２実施の形態のＨｅＮＢゲートウェイの構成を示す図
【図１１】図１１は、第２の実施の形態のハンドオーバの動作を示す図
【図１２】図１２は、第２の実施の形態のハンドオーバの動作を示す図
【図１３】図１３は、第３の実施の形態のＨｅＮＢゲートウェイの構成を示す図
【図１４】図１４は、第３の実施の形態のハンドオーバの動作を示す図
【図１５】図１５は、第３の実施の形態のハンドオーバの動作を示す図
【図１６】図１６は、第４の実施の形態のＵＥの構成を示す図
【図１７】図１７は、セルリスト修正前の測定報告メッセージを示す図
【図１８】図１８は、セルリスト修正後の測定報告メッセージを示す図
【図１９】図１９は、第４の実施の形態のハンドオーバの動作を示す図
【図２０】図２０は、第５の実施の形態のソースＨｅＮＢの構成を示す図
【図２１】図２１は、第５の実施の形態のＨｅＮＢゲートウェイの構成を示す図
【図２２】図２２は、第５の実施の形態のハンドオーバの動作を示す図
【図２３】図２３は、第５の実施の形態のハンドオーバの動作を示す図
【図２４】図２４は、ＣＳＧセルシステムのアーキテクチャ構成を示す図
【図２５】図２５は、ＣＳＧセル間ハンドオーバ処理手順を示す図
【発明を実施するための形態】
【００２０】
以下に、本発明の詳細な説明を述べる。以下に説明する実施の形態は本発明の単なる例であり、本発明が様々な態様に変形することができる。従って、以下に開示する特定の構成および機能は、請求の範囲を限定するものではない。
【００２１】
以下、本発明の実施の形態のハンドオーバ方法について図面を参照して説明する。
（第１の実施の形態）
図１は、第１の実施の形態のハンドオーバ方法の概要を示すフローチャートである。最初に、図１を参照して概要を説明する。本実施の形態では、マニュアルセレクションによりホワイトリストの更新中であるという情報を、ＵＥ１０からネットワーク側の各エンティティ（Entity）に通知することで、各エンティティが協調してハンドオーバ処理を実行する。
【００２２】
マニュアルセレクション処理（Ｓ１０）によりユーザが選択したＣＳＧセルがホワイトリストに含まれていない場合には、ＵＥ１０は、ユーザが選択したＣＳＧセルをホワイトリストに追加するマニュアル更新（Manual  update）処理を実行する。具体的には、ＵＥ１０は、ユーザが選択したＣＳＧセルのセルＩＤを含む位置登録メッセージ（これを「ホワイトリスト更新要求」という）を、ソースＨｅＮＢ３０およびＨｅＮＢゲートウェイ５０を介してＭＭＥ７０に送信する（Ｓ１２，Ｓ１４，Ｓ１６）。ＭＭＥ７０は位置登録メッセージを受信すると、そのホワイトリスト更新要求に含まれるユーザ所望のＣＳＧセルのセルＩＤをホワイトリストに追加する（Ｓ１８）。
【００２３】
ホワイトリスト更新中に、ＵＥ１０が隣接基地局の受信品質を測定し（Ｓ２０）、測定報告メッセージをソースＨｅＮＢ３０に送信するときは、現在ホワイトリスト更新中であることを示すフラグ（ホワイトリスト更新フラグ）を測定報告メッセージに挿入する（Ｓ２２）。ソースＨｅＮＢ３０は、測定報告メッセージを受信すると、ハンドオーバの設定情報を含むＨＯプレパレーションをＨｅＮＢゲートウェイ５０に送信する（Ｓ２４）。ソースＨｅＮＢ３０は、測定報告メッセージからマニュアル更新フラグを検出すると、ホワイトリスト更新中であると判断し、ＨＯプレパレーションにマニュアル更新フラグを挿入する（Ｓ２４）。
【００２４】
ＨｅＮＢゲートウェイ５０はソースＨｅＮＢ３０から受信したＨＯプレパレーションにマニュアル更新フラグを検出すると、ＨｅＮＢゲートウェイ５０は現在ホワイトリスト更新中であると判断する。ＨｅＮＢゲートウェイ５０は、ハンドオーバ先となるターゲットセルを決定するアドミッションコントロール処理を、マニュアル更新により更新されたホワイトリストをＭＭＥ７０から受信するまで遅延させる（Ｓ２６）。
【００２５】
ＨｅＮＢゲートウェイ５０は、更新されたホワイトリストを受信すると（Ｓ２８）、アドミッションコントロール処理を実行してターゲットセルを決定する（Ｓ３０）。その後の処理は、通常のハンドオーバの処理手順と同様である。具体的には、ＨｅＮＢゲートウェイ５０は、ソースＨｅＮＢ３０にＨＯプレパレーション応答を送信し（Ｓ３２）、これを受けたソースＨｅＮＢ３０はＵＥ３０にハンドオーバ実行命令を送信する（Ｓ３４）。次に、ＨｅＮＢゲートウェイ５０は、ターゲットＨｅＮＢ８０にＨＯプレパレーションを送信する（Ｓ３６）。これにより、ＵＥ１０は、マニュアルセレクションにより選択されたユーザ所望のＣＳＧセルにハンドオーバすることが可能となる。
【００２６】
一方、マニュアルセレクション処理によりユーザが選択したＣＳＧセルが、既にホワイトリストに含まれている場合、あるいは、ＵＥ１０がソースＨｅＮＢ３０に送信する測定報告メッセージにユーザが選択したＣＳＧセルが含まれない場合には、通常のハンドオーバ処理を実行する。
【００２７】
次に、本実施の形態の無線通信システムを構成する各エンティティについて説明する。
図２は、ＵＥ１０の構成を示す図である。ＵＥ１０は、基地局との通信を行う基地局通信インターフェース（図では「基地局通信ＩＦ」と記載）１１と、アクセス許可されたＣＳＧセルの情報（すなわち、ホワイトリスト）を記憶したホワイトリスト記憶部１２と、ＵＥ１０の各種の制御を行う制御部１３とを有している。
【００２８】
制御部１３は、測定部１４と、ＮＡＳメッセージ受信部１５と、マニュアルセレクション実行部１６と、ホワイトリスト更新要求生成送信部１７と、測定報告メッセージ生成送信部１８と、ハンドオーバ実行命令受信部２０と、ハンドオーバ実行部２１とを有している。
【００２９】
ＮＡＳメッセージ受信部１５は、ＮＡＳメッセージとして送信される更新されたホワイトリストの情報を受信し、ホワイトリスト記憶部１２に記憶する。測定部１４は、基地局からの電波の電波強度を測定する。測定報告メッセージ生成送信部１８は、測定結果に基づいて測定報告メッセージを生成し、ソースＨｅＮＢ３０へ送信する。本実施の形態では、測定報告メッセージ生成送信部１８は、マニュアルセレクションの実行中には、フラグ生成部１９にてホワイトリスト更新中であることを示すフラグを生成し、測定報告に付加する。ここで、フラグは、ホワイトリスト更新中であるか否かを示せればよいので、情報量は１ビットでよい。１ビットのフラグを既存のメッセージに挿入するだけで、ホワイトリスト更新中であることをＨｅＮＢゲートウェイ５０に通知できる。
【００３０】
マニュアルセレクション実行部１６は、周辺のＣＳＧセルをディスプレイに表示し、ユーザに所望のＣＳＧセルを選択させ、選択されたＣＳＧセルがホワイトリストに入っていなかった場合に、その旨をホワイトリスト更新要求生成送信部１７に通知する。ホワイトリスト更新要求生成送信部１７は、位置登録（Tracking  Area  Update）メッセージにユーザが選択したＣＳＧセルのセルＩＤを含めてホワイトリスト更新要求を生成し、ＭＭＥ７０に送信する。
【００３１】
ハンドオーバ実行命令受信部２０は、ハンドオーバの実行命令を受信し、ハンドオーバ実行部２１に通知する。ハンドオーバ実行部２１は、ハンドオーバを実行する。
【００３２】
図３は、ソースＨｅＮＢ３０の構成を示す図である。ソースＨｅＮＢ３０は、ＨｅＮＢゲートウェイ５０と通信を行うホーム基地局交換装置通信インターフェース（図では「ＨｅＮＢゲートウェイ通信ＩＦ」と記載）３１と、ＵＥ１０との通信を行うＵＥ通信インターフェース（図では「ＵＥ通信ＩＦ」と記載）３２と、ソースＨｅＮＢ３０を制御する制御部３３とを有している。
【００３３】
制御部３３は、ＮＡＳメッセージ送受信部３４と、測定報告メッセージ受信部３５と、ハンドオーバプレパレーション生成送信部（以下、「ＨＯプレパレーション生成送信部」という）３７と、ＨＯプレパレーション応答受信部３９と、ハンドオーバ実行命令送信部４０とを有している。ＮＡＳメッセージ送受信部３４は、ＮＡＳメッセージとして、ホワイトリスト更新要求や更新されたホワイトリストを送受信する。
【００３４】
測定報告メッセージ受信部３５は、ＵＥ１０からの測定報告メッセージを受信すると、ＨＯプレパレーション生成送信部３７にその旨を通知する。ＨＯプレパレーション生成送信部３７は、ＨＯプレパレーションを生成し、ＨｅＮＢゲートウェイ５０に送信する。本実施の形態の測定報告メッセージ受信部３５は、フラグ検出部３６にて、測定報告メッセージにホワイトリスト更新のフラグが入っているか否かを検出する。フラグ検出部３６は、フラグを検出した場合、フラグの情報をＨＯプレパレーション生成送信部３７に渡す。ＨＯプレパレーション生成送信部３７は、フラグの情報を受け取った場合には、フラグの情報を付加したＨＯプレパレーションを生成する。
【００３５】
ＨＯプレパレーション応答受信部３９は、ＨｅＮＢゲートウェイ５０からハンドオーバの可否を示す応答を受信し、受信した情報をハンドオーバ実行命令送信部４０に渡す。ハンドオーバ実行命令送信部４０は、ハンドオーバが可能な場合に、ハンドオーバ実行命令をＵＥ１０に送信する。
【００３６】
図４は、ＨｅＮＢゲートウェイ（図では、「ＨｅＮＢ  ＧＷ」と記載）５０の構成を示す図である。ＨｅＮＢゲートウェイ５０は、ＨｅＮＢと通信を行う基地局通信インターフェース（図では「基地局通信ＩＦと記載」）５１と、ホワイトリストを記憶するホワイトリスト記憶部５２と、ＭＭＥ７０との通信を行うＭＭＥ通信インターフェース（図では「ＭＭＥ通信ＩＦ」と記載）５３と、ＨｅＮＢゲートウェイ５０を制御する制御部５４とを有する。
【００３７】
制御部５４は、ＮＡＳメッセージ送受信部５５と、アドミッションコントロール部５６と、ＨＯプレパレーション送受信部５７と、ＨＯプレパレーション応答生成送信部５９とを有する。ＮＡＳメッセージ送受信部５５は、ＮＡＳメッセージとして、ホワイトリスト更新要求や更新されたホワイトリストを送受信する。
【００３８】
ＨＯプレパレーション送受信部５７は、ソースＨｅＮＢ３０から送信されたＨＯプレパレーションを受信し、受信した情報をアドミッションコントロール部５６に渡す。ＨＯプレパレーション送受信部５７は、フラグ検出部５８を有する。フラグ検出部５８は、ＨＯプレパレーションにホワイトリスト更新中であることを示すフラグが含まれているか否かを検出する。ホワイトリスト更新中であることを示すフラグが含まれている場合には、ＨＯプレパレーション送受信部５７は、アドミッションコントロール部５６にホワイトリスト更新中であることを示すフラグが含まれていた旨を通知する。
【００３９】
アドミッションコントロール部５６は、アドミッションコントロール処理を行い、ターゲットＨｅＮＢへのハンドオーバが可能か否かを決定する。ターゲットＨｅＮＢへのハンドオーバが不可能なときは、アドミッションコントロール部５６は、別のセルをハンドオーバ先として決定する。ホワイトリスト更新中を示すフラグを受信している場合には、アドミッションコントロール部５６は、ＭＭＥ７０から更新されたホワイトリストが送信されてくるのを待って、アドミッションコントロール処理を行う。
【００４０】
ＨＯプレパレーション応答生成送信部５９は、ＨＯプレパレーション応答を生成し、ソースＨｅＮＢ３０に送信する。
【００４１】
図５及び図６は、第１の実施の形態の無線通信システムの各エンティティの動作を詳細に示す図である。ＵＥ１０は、ユーザがマニュアルセレクションを行うと（Ｓ４０）、選択されたＣＳＧセルがホワイトリストに含まれていないか否かを判定する（Ｓ４２）。具体的には、ＵＥ１０は、ホワイトリスト記憶部１２に記憶されたホワイトリストを読み出して、選択されたＣＳＧセルのセルＩＤが含まれているか否かを確認する。
【００４２】
選択されたＣＳＧセルがホワイトリストに含まれていない場合には（Ｓ４２でＹｅｓ）、ＵＥ１０はホワイトリスト更新要求をソースＨｅＮＢ３０に送信する（Ｓ４４）。ソースＨｅＮＢ３０は、ホワイトリスト更新要求をＨｅＮＢゲートウェイ５０に送信し（Ｓ４６）、ＨｅＮＢゲートウェイ５０は、受信したホワイトリスト更新要求をＭＭＥ７０に送信する（Ｓ４８）。ＭＭＥ７０は、ホワイトリスト更新要求を受信するとホワイトリストの更新処理を行う（Ｓ５０）。
【００４３】
ＵＥ１０は、周辺のＨｅＮＢの電波の受信品質の測定を行い（Ｓ５２）、測定報告メッセージを送信するか否かの判定を行う（Ｓ５４）。測定報告メッセージを送信する場合には（Ｓ５４でＹｅｓ）、ＵＥ１０は、測定報告メッセージを生成する（Ｓ５６）。ＵＥ１０は、測定報告メッセージにマニュアルセレクションにて選択されたＣＳＧセルが含まれるか否かを判定する（Ｓ５８）。含まれると判定された場合には（Ｓ５８でＹｅｓ）、ＵＥ１０は、選択されたＣＳＧセルがホワイトリストに含まれていないか否かを判定する（Ｓ６０）。含まれていないと判定された場合には（Ｓ６０でＹｅｓ）、ＵＥ１０は測定報告メッセージにホワイトリスト更新中であることを示すフラグを付加する（Ｓ６２）。ＵＥ１０は、測定報告メッセージをソースＨｅＮＢ３０に送信する（Ｓ６４）。
【００４４】
ソースＨｅＮＢ３０は、測定報告を受信するとＨＯプレパレーションを生成する（Ｓ６６）。ソースＨｅＮＢ３０は、測定報告メッセージにホワイトリスト更新中フラグが含まれているか否かを判定する（Ｓ６８）。ホワイトリスト更新中フラグが含まれている場合には（Ｓ６８でＹｅｓ）、ソースＨｅＮＢ３０は、ＨＯプレパレーションにホワイトリスト更新中フラグを付加する（Ｓ７０）。ソースＨｅＮＢ３０は、ＨｅＮＢゲートウェイ５０にＨＯプレパレーションを送信する（Ｓ７２）。図５及び図６では、ホワイトリスト更新中フラグを付加したＨＯプレパレーションを送信した例を示している。
【００４５】
ＨｅＮＢゲートウェイ５０は、ＨＯプレパレーションを受信し、ＨＯプレパレーションにホワイトリスト更新中フラグが含まれていることを検出すると、アドミッションコントロール処理をすぐに行わずに、ＭＭＥ７０から更新されたホワイトリストが送信されてくるのを待つ。
【００４６】
ＭＭＥ７０から更新されたホワイトリストが送信されてくると（Ｓ７４）、ＨｅＮＢゲートウェイ５０は、ＮＡＳメッセージによって、更新されたホワイトリストの情報をソースＨｅＮＢ３０に送信し（Ｓ７６）、ソースＨｅＮＢ３０は、ＮＡＳメッセージをＵＥ１０に転送する（Ｓ７８）。
【００４７】
ＨｅＮＢゲートウェイ５０は、更新されたホワイトリストを受信したか否かを判定し（Ｓ８０）、ホワイトリストを受信すると（Ｓ８０でＹｅｓ）、ホワイトリスト記憶部５２のホワイトリストを更新した上で、ターゲットセルへのハンドオーバが可能か否かを判定するアドミッションコントロール処理を行う（Ｓ８２）。ＨｅＮＢゲートウェイ５０は、ＨＯプレパレーション応答をソースＨｅＮＢ３０に送信する（Ｓ８４）と共に、ＨＯプレパレーションをターゲットＨｅＮＢ８０に送信する（Ｓ８８）。ソースＨｅＮＢ３０は、ハンドオーバ実行命令をＵＥ１０に送信する（Ｓ８６）。
【００４８】
図７及び図８は、第１の実施の形態の無線通信システムの各エンティティの別の動作を詳細に示す図である。図７及び図８に示す無線通信システムの動作は、図５及び図６に示す無線通信システムの動作と基本的に同じである。図７及び図８では、マニュアルセレクションがなされてから（Ｓ４０）、ホワイトリストの更新要求を送信する（Ｓ４４）までの間に、測定報告メッセージの送信（Ｓ５２〜Ｓ６４）する例を示している。受信品質の測定を行うタイミングによっては、ホワイトリスト更新要求の送信前に、測定報告メッセージが送信されることになるが、このようにホワイトリストの更新要求を送信する前であっても、マニュアルセレクションがなされていれば、測定報告メッセージにホワイトリスト更新中のフラグを付加する。以上、第１の実施の形態の無線通信システムおよびハンドオーバ方法について説明した。
【００４９】
第１の実施の形態の無線通信システムは、マニュアルセレクションがなされた後に、選択されたＣＳＧセルを含む測定報告メッセージを送信する場合に、測定報告メッセージにホワイトリストの更新中を示すフラグを付加し、ＨｅＮＢゲートウェイ５０にホワイトリストの更新中である旨を伝える。ＨｅＮＢゲートウェイ５０は、測定報告メッセージに更新中のフラグを含む場合には、ＭＭＥ７０から更新されたホワイトリストが送信されてくるのを待って、アドミッションコントロール処理を行う。これにより、ホワイトリストへの追加が完了する前にアドミッションコントロール処理を行って、ユーザが選択したＣＳＧセルへのハンドオーバ不可と判定される不都合を防止し、マニュアルセレクションにて選択したＣＳＧセルに対してハンドオーバを行うことができる。
【００５０】
（第２の実施の形態）
次に、第２の実施の形態の無線通信システムについて説明する。第１の実施の形態は、ＭＭＥ７０によるホワイトリストの更新が成功した場合、つまりホワイトリストにユーザ所望のＣＳＧセルのセルＩＤを追加できた場合の処理手順について説明した。第２の実施の形態では、ＭＭＥ７０によりホワイトリストの更新が許可されなかったにも適切に動作する無線通信システムについて説明する。第２の実施の形態においてＵＥ、ソースＨｅＮＢの構成は、第１の実施の形態と同じである。
【００５１】
図９は、第２の実施の形態におけるＭＭＥ７０の構成を示す図である。ＭＭＥ７０は、ＨｅＮＢゲートウェイ５０と通信するためのホーム基地局交換装置インターフェース（図では、「ホーム基地局交換装置ＩＦ」と記載）７１と、ホワイトリストを記憶したホワイトリスト記憶部７２と、ＭＭＥ７０を制御する制御部７３とを有する。
【００５２】
制御部７３は、ＮＡＳメッセージ送受信部７４と、ホワイトリスト更新部７５と、更新失敗メッセージ送信部７６とを有している。ＮＡＳメッセージ送受信部７４は、ＮＡＳメッセージとして、ホワイトリスト更新メッセージと更新されたホワイトリストを送受信する。ホワイトリスト更新部７５は、ホワイトリスト記憶部７２に記憶されたホワイトリストを更新する。更新失敗メッセージ送信部７６は、ホワイトリスト更新部７５にてホワイトリストの更新を失敗したときにＨｅＮＢゲートウェイ５０に更新失敗メッセージを送信する。
【００５３】
図１０は、第２の実施の形態におけるＨｅＮＢゲートウェイ５０ａの構成を示す図である。第２の実施の形態のＨｅＮＢゲートウェイ５０ａは、第１の実施の形態のＨｅＮＢゲートウェイ５０の構成に加え、更新失敗メッセージを送受信する更新失敗メッセージ送受信部６０を有する。更新失敗メッセージ送受信部６０は、ＭＭＥ７０から送信されてきた更新失敗メッセージを受信する。
【００５４】
更新失敗メッセージ送受信部６０は、更新失敗メッセージを受信すると、更新失敗メッセージを受信した旨をアドミッションコントロール部５６に通知する。アドミッションコントロール部５６は、更新失敗メッセージを受信すると、ホワイトリスト記憶部５２に記憶されたホワイトリストに基づいてハンドオーバ先を決定する。また、更新失敗メッセージ送受信部６０は、更新失敗メッセージをソースＨｅＮＢ３０に送信する。
【００５５】
図１１及び図１２は、第２の実施の形態の無線通信システムによるハンドオーバの動作を示す図である。第２の実施の形態のハンドオーバの基本的な動作は、第１の実施の形態のハンドオーバの動作と同じであるが、ＭＭＥ７０にてホワイトリストの更新に失敗したときの動作が追加されている点が異なる。以下、追加された処理について説明する。
【００５６】
ＭＭＥ７０は、ホワイトリストの更新要求を受信すると（Ｓ４８）、ホワイトリストの更新が可能か否か判定する（Ｓ４９）。ホワイトリストの更新が不可能であると判定された場合（Ｓ４９でＮｏ）、ＭＭＥ７０は、更新失敗メッセージをＨｅＮＢゲートウェイ５０に送信する（Ｓ９０）。ＨｅＮＢゲートウェイ５０は、ＭＭＥ７０から受信したメッセージに従って、ＮＡＳメッセージによって、更新されたホワイトリストまたは更新失敗をソースＨｅＮＢ３０に送信する（Ｓ９２）。ソースＨｅＮＢ３０は、ＮＡＳメッセージを受信したか否かを判定し（Ｓ９４）、受信したと判定された場合（Ｓ９４でＹｅｓ）、ＵＥ１０に更新されたホワイトリストまたは更新失敗を送信する（Ｓ９６）。
【００５７】
ＨｅＮＢゲートウェイ５０は、更新されたホワイトリストまたは更新失敗メッセージを受信したか否かを判定する（Ｓ９８）。更新されたホワイトリストまたは更新失敗メッセージを受信したと判定されると（Ｓ９８でＹｅｓ）、アドミッションコントロール処理を行う（Ｓ１００）。
【００５８】
なお、更新失敗の場合、ＨｅＮＢゲートウェイ５０は、ホワイトリスト記憶部５２のホワイトリストの更新を行うことなく、アドミッションコントロール処理を行う。この場合、マニュアルセレクションにより選択されたＣＳＧセルへのハンドオーバは許可されず、別のセルがハンドオーバ先として決定される。
【００５９】
ＨｅＮＢゲートウェイ５０は、ソースＨｅＮＢ３０にＨＯプレパレーション応答を送信し（Ｓ１０２）、アドミッションコントロール処理に基づいて決定されたハンドオーバ先にＨＯプレパレーションを送信する（Ｓ１０６）。以上、第２の実施の形態の無線通信システムの構成および動作について説明した。
【００６０】
第２の実施の形態の無線通信システムでは、ＭＭＥ７０によるホワイトリスト更新に失敗したときに、ＨｅＮＢゲートウェイ５０は、ＭＭＥ７０から更新失敗メッセージを受信するので（Ｓ９０）、このメッセージを契機としてアドミッションコントロール処理（Ｓ１００）を開始することができる。従って、ＭＭＥ７０でのホワイトリスト更新に失敗した場合にも、アドミッションコントロール処理がいつまでも開始しないという不都合が生じることなく、適切なハンドオーバ処理を行える。
【００６１】
（第３の実施の形態）
次に、第３の実施の形態の無線通信システムについて説明する。第２の実施の形態は、ＭＭＥ７０から更新されたホワイトリストまたは更新失敗メッセージを受信した場合に、アドミッションコントロール処理を実行する処理手順について説明した。第３の実施の形態では、ＭＭＥ７０からＨｅＮＢゲートウェイ５０ａへホワイトリスト更新の結果が通知されない場合にも適切に動作する無線通信システムについて説明する。第３の実施の形態においてＵＥ、ＭＭＥ、ソースＨｅＮＢの構成は、第２の実施の形態と同じである。
【００６２】
図１３は、第３の実施の形態のＨｅＮＢゲートウェイ５０ｂの構成を示す図である。第３の実施の形態のＨｅＮＢゲートウェイ５０ｂは、第２の実施の形態のＨｅＮＢゲートウェイ５０ａの構成に加え、タイマー管理部６１を有している。タイマー管理部６１は、ＨＯプレパレーション送受信部５７にて、ソースＨｅＮＢ３０からＨＯプレパレーションを受信したときにタイマーを起動し、ＨＯプリパレーションの受信時からの経過時間を測定する。タイマー管理部６１は、ＮＡＳメッセージ送受信部５５により更新されたホワイトリストを受信した場合、または更新失敗メッセージ送受信部６０にて更新失敗メッセージを受信した場合に、タイマーをリセットする。タイマー管理部６１は、タイマーが所定の設定時間を越えた場合、あるいはタイマーの有効期限が切れた場合には、タイマーが切れたことをアドミッションコントロール部５６に通知し、アドミッションコントロール部５６は、アドミッションコントロール処理を実行する。
【００６３】
図１４及び図１５は、第３の実施の形態の無線通信システムによるハンドオーバの動作を示す図である。第３の実施の形態のハンドオーバの基本的な動作は、第２の実施の形態のハンドオーバの動作と同じであるが、ＭＭＥ７０からホワイトリスト更新に対するレスポンスがなかった場合の動作が追加されている点が異なる。以下、追加された処理について説明する。
【００６４】
ＨｅＮＢゲートウェイ５０は、ソースＨｅＮＢ３０からＨＯプレパレーションを受信すると（Ｓ７２）、タイマー管理部６１のタイマーを開始する（Ｓ７３）。ＨｅＮＢゲートウェイ５０は、更新されたホワイトリストまたは更新失敗メッセージを受信したか否かを判定し（Ｓ９８）、いずれも受信していない場合には（Ｓ９８でＮｏ）、タイマーがタイムアウトしたか否かを判定する（Ｓ９９）。
【００６５】
タイムアウトしたと判定された場合には（Ｓ９９でＹｅｓ）、ＨｅＮＢゲートウェイ５０は、アドミッションコントロール処理を開始する（Ｓ１００）。タイムアウトしていないと判定された場合には（Ｓ９９でＮｏ）、ＨｅＮＢゲートウェイ５０は、更新されたホワイトリストまたは更新失敗を受信したか否かを再度判定する（Ｓ９８）。すなわち、ＨｅＮＢゲートウェイ５０は、更新されたホワイトリストまたは更新失敗を受信したか否かをタイマーがタイムアウトするまで繰り返し判定する。以上、第３の実施の形態の無線通信システムの構成および動作について説明した。
【００６６】
第３の実施の形態では、ＨｅＮＢゲートウェイ５０は、ＨＯプレパレーションを受信すると（Ｓ７２）、ＭＭＥ７０から更新されたホワイトリストまたは更新失敗メッセージが送信されてくるまで、アドミッションコントロール処理を行わないで待つが、ＨＯプレパレーションを受信してから所定の時間が経過しても、更新されたホワイトリストまたは更新失敗メッセージを受信しない場合には、アドミッションコントロール処理を行う（Ｓ１００）。従って、ＭＭＥ７０からの通知が何らかの理由により受信できない場合に、ＭＭＥ７０からの通知を待ち続けるということがなく、適切なハンドオーバ処理を行える。
【００６７】
（第４の実施の形態）
次に、第４の実施の形態の無線通信システムについて説明する。通常、ＨＯプレパレーションに入れるハンドオーバ先となるターゲットセル候補として、ソースＨｅＮＢ３０で受信したＵＥ１０からの測定報告メッセージに含まれるセルの中でもっとも受信品質の良いセルが選択される。マニュアルセレクションにより選択されたＣＳＧセルの受信品質が最良でない場合、選択されたセルは、ＨＯプレパレーションのターゲットセル候補にならないため、マニュアル更新を実行したとしてもユーザ所望のセルにハンドオーバできない。本実施の形態では、マニュアルセレクションにより選択されたＣＳＧセルにハンドオーバする方法を示す。
【００６８】
図１６は、第４の実施の形態のＵＥ１０ａの構成を示す図である。第４の実施の形態におけるソースＨｅＮＢ、ＨｅＮＢゲートウェイ、ＭＭＥの構成は第３の実施の形態と同様である。
【００６９】
第４の実施の形態のＵＥ１０ａの基本的な構成は、第１〜第３の実施の形態のＵＥ１０と同じであるが、測定報告メッセージ生成送信部１８が、セルリスト修正部２２を有する点が異なる。通常、測定報告メッセージに含まれるセルリストは受信品質の良い順に並べられるが、セルリスト修正部２２は、マニュアルセレクションにより選択されたＣＳＧセルがセルリストの先頭にくるようにセルリストの順番を修正する。
【００７０】
図１７は、セルリスト修正部２２によるセルリストの修正がなされる前の測定報告メッセージの構成を示す図、図１８は、修正後の測定報告メッセージの構成を示す図である。図１７に示すように、セルリストには、測定結果が良かったセルから順にシーケンスＮｏが付され、並べられている。セルリスト修正部２２は、図１８に示すように、マニュアルセレクションにより選択されたＣＳＧセルのセルＩＤ（この例では、「７０」）が先頭になるようにセルリストを修正する。
【００７１】
図１９は、第４の実施の形態の無線通信システムによるハンドオーバの動作を示す図である。第４の実施の形態のハンドオーバの基本的な動作は、第３の実施の形態のハンドオーバの動作と同じである。第４の実施の形態においては、測定報告メッセージのセルリストにマニュアルセレクションにて選択されたＣＳＧセルが含まれていた場合には（Ｓ５８でＹｅｓ）、選択されたＣＳＧセルが先頭にくるように測定報告メッセージのセルリストを修正する処理（Ｓ５９）を有する。以上、第４の実施の形態の無線通信システムの構成および動作について説明した。
【００７２】
第４の実施の形態の無線通信システムでは、マニュアルセレクションにて選択されたＣＳＧセルを測定報告メッセージのセルリストの先頭に置くことで、選択されたＣＳＧセルが最も受信品質が良いと見えるようにする。これにより、本実施の形態ではソースＨｅＮＢ３０がＨｅＮＢゲートウェイ５０に送信するＨＯプレパレーションの中のターゲットセル候補としてマニュアルセレクションされたＣＳＧセルに設定することになり、選択されたＣＳＧセルへのハンドオーバが可能になる。
【００７３】
なお、本実施の形態では、選択されたＣＳＧセルをセルリストの先頭に持ってくるようにセルリストを修正する例について説明したが、ＵＥによる測定時に選択されたＣＳＧセルに対してのみオフセットを付加することで、選択されたＣＳＧセルの受信品質を見かけ上、最良に見せることも可能である。
【００７４】
（第５の実施の形態）
次に、第５の実施の形態の無線通信システムについて説明する。上記した実施の形態では、ＨｅＮＢゲートウェイ５０がアドミッションコントロール処理を行うタイミングを制御していたが、本実施の形態では、ソースＨｅＮＢ３０ａがＨＯプレパレーションを送信するタイミングを制御することにより、ホワイトリストへの追加が完了する前にアドミッションコントロール処理を行って、選択されたＣＳＧセルへのハンドオーバが不可と判断される不都合を防止する。
【００７５】
図２０は、第５の実施の形態のソースＨｅＮＢ３０ａの構成を示す図である。第５の実施の形態におけるＵＥ、ＭＭＥの構成は第３の実施の形態と同様であり、ＨｅＮＢゲートウェイ５０ｃの構成は、図２１に示すように図１０のハンドオーバプレペレーション送受信部５７からフラグ検出機能を除き、更新失敗メッセージ送受信部６０やＮＡＳメッセージ送受信部５５からアドミッションコントロール部５６への通知を省いたものである。
【００７６】
第５の実施の形態のソースＨｅＮＢ３０ａの基本的な構成は、第１〜第４の実施の形態のソースＨｅＮＢ３０と同じであるが、第１の実施の形態のソースＨｅＮＢ３０の構成に加え、タイマー管理部４１を有する点が異なっている。また、第５の実施の形態のソースＨｅＮＢ３０ａは、ＨＯプレパレーション生成送信部３７がフラグ生成部を備えていない点が異なる。
【００７７】
タイマー管理部４１は、測定報告メッセージ受信部３５にて、ホワイトリスト更新フラグを含む測定報告メッセージを受信した場合に、タイマーを起動し、測定報告メッセージの受信時からの経過時間を測定する。タイマー管理部４１は、ＮＡＳメッセージ送受信部３４にて、更新されたホワイトリストを受信した場合、タイマーをリセットする。タイマー管理部４１は、タイマーがリセットされた場合、あるいはタイマーが所定の設定時間を越えた場合に、その旨をＨＯプレパレーション生成送信部３７に通知する。ＨＯプレパレーション生成送信部３７は、タイマー管理部４１からの通知を受けて、ＨＯプレパレーションをＨｅＮＢゲートウェイ５０に送信する。
【００７８】
図２２及び図２３は、第５の実施の形態の無線通信システムによるハンドオーバの動作について説明する図である。第５の実施の形態において、ＵＥ１０から測定報告メッセージを受信してＨＯプレパレーションを生成する（Ｓ６６）までの動作は、第１の実施の形態と同じである。
【００７９】
ソースＨｅＮＢ３０は、測定報告メッセージがホワイトリストの更新中であることを示すフラグを含んでいるか否かを判定する（Ｓ６８）。フラグを含んでいる場合には（Ｓ６８でＹｅｓ）、ソースＨｅＮＢ３０のタイマー管理部４１は、タイマーを開始する（Ｓ７１）。
【００８０】
ソースＨｅＮＢ３０は、更新されたホワイトリストまたは更新失敗を示すＮＡＳメッセージをＨｅＮＢから受信したか否かを判定する（Ｓ９４）。この判定の結果、ＮＡＳメッセージを受信していない場合（Ｓ９４でＮｏ）、タイマーがタイムアウトしたか否かを判定する（Ｓ１１０）。タイムアウトしていない場合（Ｓ１１０でＮｏ）、ＮＡＳメッセージを受信したか否かの判定を再度行う（Ｓ９４）。すなわち、ソースＨｅＮＢ３０は、ＮＡＳメッセージを受信したか否かをタイマーがタイムアウトするまで繰り返し判定する。タイマーがタイムアウトした場合（Ｓ１１０でＹｅｓ）、または、ＮＡＳメッセージを受信した場合に（Ｓ９４でＹｅｓ）、ソースＨｅＮＢ３０は、ＨＯプレパレーションをＨｅＮＢゲートウェイ５０に送信する。以上、第５の実施の形態の無線通信システムの構成および動作について説明した。
【００８１】
第５の実施の形態では、ソースＨｅＮＢ３０からＨｅＮＢゲートウェイ５０にＨＯプレパレーションを送信するタイミングを遅くすることにより、ホワイトリストへの追加が完了する前にアドミッションコントロール処理を行って、マニュアルセレクションにより選択されたＣＳＧセルへのハンドオーバ不可と判定される不都合を防止し、適切なハンドオーバを実現する。
【００８２】
第５の実施の形態では、ＨＯプレパレーションに、ホワイトリスト更新中であることを示すフラグを付加する必要がなく、また、ＨｅＮＢゲートウェイも従来の構成を用いることができる。
【００８３】
以上、本発明の無線通信システムおよびハンドオーバ方法について、実施の形態を挙げて詳細に説明したが、本発明は上記した実施の形態に限定されるものではない。
【００８４】
上記した第４の実施の形態では、選択されたＣＳＧセルを測定報告メッセージのセルリストの先頭に持ってくることにより、選択されたＣＳＧセルをＨｅＮＢゲートウェイが識別できるようにする例について説明したが、ＨｅＮＢゲートウェイは、更新前のホワイトリストと更新後のホワイトリストとを比較することにより、更新されたＣＳＧセルを抽出し、マニュアルセレクションされたＣＳＧセルを求めてもよい。
【００８５】
以上に現時点で考えられる本発明の好適な実施の形態を説明したが、本実施の形態に対して多様な変形が可能であり、そして、本発明の真実の精神と範囲内にあるそのようなすべての変形を添付の請求の範囲が含むことが意図されている。
【産業上の利用可能性】
【００８６】
本発明は、ホワイトリストの手動更新要求と測定報告メッセージとが競合する場合にも、手動選択の結果を反映したホワイトリストを用いて、適切にハンドオーバ先を選択することができるというすぐれた効果を有し、ＣＳＧセルへのハンドオーバを行う無線通信システム等として有用である。
【符号の説明】
【００８７】
１０，１０ａ  ＵＥ
１１  基地局通信ＩＦ
１２  ホワイトリスト記憶部
１３  制御部
１４  測定部
１５  ＮＡＳメッセージ受信部
１６  マニュアルセレクション実行部
１７  ホワイトリスト更新要求生成送信部
１８  測定報告メッセージ生成送信部
１９  フラグ生成部
２０  ハンドオーバ実行命令受信部
２１  ハンドオーバ実行部
２２  セルリスト修正部
３０，３０ａ  ソースＨｅＮＢ
３１  ＨｅＮＢゲートウェイ通信ＩＦ
３２  ＵＥ通信ＩＦ
３３  制御部
３４  ＮＡＳメッセージ送受信部
３５  測定報告メッセージ受信部
３６  フラグ検出部
３７  ＨＯプレパレーション生成送信部
３８  フラグ生成部
３９  ＨＯプレパレーション応答受信部
４０  ハンドオーバ実行命令送信部
４１  タイマー管理部
５０，５０ａ，５０ｂ  ホーム基地局交換装置（ＨｅＮＢゲートウェイ）
５１  基地局通信ＩＦ
５２  ホワイトリスト記憶部
５３  ＭＭＥ通信ＩＦ
５４  制御部
５５  ＮＡＳメッセージ送受信部
５６  アドミッションコントロール部
５７  ＨＯプレパレーション送受信部
５８  フラグ検出部
５９  ＨＯプレパレーション応答生成送信部
６０  更新失敗メッセージ送受信部
６１  タイマー管理部
７０  モビリティ管理装置（ＭＭＥ）
７１  ＨｅＮＢゲートウェイ通信ＩＦ
７２  ホワイトリスト記憶部
７３  制御部
７４  ＮＡＳメッセージ送受信部
７５  ホワイトリスト更新部
７６  更新失敗メッセージ送信部
【手続補正２】
【補正対象書類名】特許請求の範囲
【補正対象項目名】全文
【補正方法】変更
【補正の内容】
【特許請求の範囲】
【請求項１】
端末装置がアクセス可能なＣＳＧ（Closed  Subscriber  Group）セルを列挙したホワイトリストを生成するモビリティ管理装置と、前記ホワイトリストに基づいてアクセスの可否を決定するホーム基地局交換装置とを有する無線通信ネットワークにおいて用いられる端末装置であって、
前記ホワイトリストを記憶したホワイトリスト記憶部と、
手動によるＣＳＧセルの選択を受け付け、選択されたＣＳＧセルが前記ホワイトリスト記憶部に記憶されていない場合に、そのＣＳＧセルの前記ホワイトリストへの追加を前記モビリティ管理装置に要求する手動選択実行部と、
周辺のＣＳＧセルの電波の受信品質を測定し、測定報告メッセージを生成する測定報告メッセージ生成部であって、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する測定報告メッセージ生成部と、
前記測定報告メッセージを前記ＣＳＧセルのホーム基地局に送信する測定報告メッセージ送信部と、
を備える端末装置。
【請求項２】
前記測定報告メッセージ生成部は、受信品質が良い順にＣＳＧセルを並べたセルリストを含む測定報告メッセージを生成し、
選択されたＣＳＧセルを先頭に配置するように前記セルリストの順番を修正するセルリスト修正部を備える請求項１に記載の端末装置。
【請求項３】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局であって、
端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部であって、前記ホワイトリストの更新中であることを示す情報を検出したときに、前記ホワイトリストの更新中であることを示す情報を含むハンドオーバプレパレーションメッセージを生成する生成部と、
前記ハンドオーバプレパレーションメッセージを前記ホーム基地局交換装置に送信する送信部と、
を備えるホーム基地局。
【請求項４】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局であって、
端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部と、
前記ハンドオーバプレパレーションメッセージを前記ホーム基地局交換装置に送信する送信部であって、前記ホワイトリストの更新中であることを示す情報を検出したときには、前記ホーム基地局交換装置からのホワイトリスト更新の応答の受信を待って、前記ハンドオーバプレパレーションメッセージを送信する送信部と、
を備えるホーム基地局。
【請求項５】
前記送信部は、前記測定報告メッセージを受信してから所定の時間が経過したときには、前記ホワイトリスト更新の応答を受信していなくても前記ハンドオーバプレパレーションメッセージを送信する請求項４に記載のホーム基地局。
【請求項６】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局であって、
端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部と、
前記ハンドオーバプレパレーションメッセージを前記ホーム基地局交換装置に送信する送信部であって、前記ホワイトリストの更新中であることを示す情報を検出したときには、前記測定報告メッセージを受信してから所定の時間の経過後に、前記ハンドオーバプレパレーションメッセージを送信する送信部と、
を備えるホーム基地局。
【請求項７】
端末装置がアクセス可能なＣＳＧセルを列挙したホワイトリストを生成するモビリティ管理装置と接続され、前記ホワイトリストに基づいて前記ＣＳＧセルに対する端末装置のアクセスの可否を決定するホーム基地局交換装置であって、
前記ＣＳＧセルのホーム基地局から送信されるハンドオーバプレパレーションメッセージを受信する受信部と、
前記ハンドオーバプレパレーションメッセージに、前記ホワイトリストの更新中であることを示す情報が含まれているか否かを検出する検出部と、
前記ハンドオーバプレパレーションメッセージを受信したときにハンドオーバ先を決定する決定部であって、前記ホワイトリストの更新中であることを示す情報を検出したときには、前記モビリティ管理装置からのホワイトリスト更新の応答の受信を待って、ハンドオーバ先を決定する決定部と、
を備えるホーム基地局交換装置。
【請求項８】
前記ホワイトリスト更新の応答として、更新後のホワイトリストを受信する請求項７に記載のホーム基地局交換装置。
【請求項９】
前記ホワイトリスト更新の応答として、前記ホワイトリストの更新失敗を示す応答を受信する請求項７に記載のホーム基地局交換装置。
【請求項１０】
前記決定部は、前記ハンドオーバプレパレーションメッセージを受信してから所定の時間が経過したときには、前記ホワイトリスト更新の応答を受信していなくても、ハンドオーバ先の決定を行う請求項７に記載のホーム基地局交換装置。
【請求項１１】
端末装置がアクセス可能なＣＳＧセルを列挙したホワイトリストを生成するモビリティ管理装置と接続され、前記ホワイトリストに基づいて前記ＣＳＧセルに対する端末装置のアクセスの可否を決定するホーム基地局交換装置であって、
前記ＣＳＧセルのホーム基地局から送信されるハンドオーバプレパレーションメッセージを受信する受信部と、
前記ハンドオーバプレパレーションメッセージに、前記ホワイトリストの更新中であることを示す情報が含まれているか否かを検出する検出部と、
前記ハンドオーバプレパレーションメッセージを受信したときにハンドオーバ先を決定する決定部であって、前記ホワイトリストの更新中であることを示す情報を検出したときには、前記ハンドオーバプレパレーションメッセージを受信してから所定の時間の経過後にハンドオーバ先を決定する決定部と、
を備えるホーム基地局交換装置。
【請求項１２】
端末装置がアクセス可能なＣＳＧセルを列挙したホワイトリストを生成し、生成したホワイトリストをホーム基地局交換装置に通知するモビリティ管理装置であって、
前記ホワイトリストを記憶したホワイトリスト記憶部と、
前記ホワイトリストの更新要求を前記ホーム基地局交換装置から受信するホワイトリスト更新要求受信部と、
前記ホワイトリスト更新要求に基づいて前記ホワイトリスト記憶部に記憶されたホワイトリストを更新するホワイトリスト更新部と、
前記ホワイトリスト更新部にてホワイトリストの更新に失敗したときに、ホワイトリストの更新失敗メッセージを前記ホーム基地局交換装置に送信する更新失敗メッセージ送信部と、
を備えるモビリティ管理装置。
【請求項１３】
端末装置がアクセス可能なＣＳＧセルを列挙したホワイトリストを生成するモビリティ管理装置と、前記ホワイトリストに基づいてアクセスの可否を決定するホーム基地局交換装置と、前記ＣＳＧセルのホーム基地局と、端末装置とを備え、
前記端末装置は、
前記ホワイトリストを記憶したホワイトリスト記憶部と、
手動によるＣＳＧセルの選択を受け付け、選択されたＣＳＧセルが前記ホワイトリスト記憶部に記憶されていない場合に、そのＣＳＧセルの前記ホワイトリストへの追加をモビリティ管理装置に要求する手動選択実行部と、
周辺のＣＳＧセルの電波の受信品質を測定し、測定報告メッセージを生成する測定報告メッセージ生成部であって、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する測定報告メッセージ生成部と、
前記測定報告メッセージを前記ＣＳＧセルのホーム基地局に送信する測定報告メッセージ送信部とを有し、
前記ホーム基地局は、
前記端末装置から送信される測定報告メッセージを受信する測定報告メッセージ受信部と、
前記測定報告メッセージに、前記ホワイトリストの更新中であることを示す情報が含まれているか否かを検出する検出部と、
前記測定報告メッセージに応じてハンドオーバプレパレーションメッセージを生成する生成部であって、前記ホワイトリストの更新中であることを示す情報を検出したときに、前記ホワイトリストの更新中であることを示す情報を含むハンドオーバプレパレーションメッセージを生成する生成部と、
前記ハンドオーバプレパレーションメッセージを前記ホーム基地局交換装置に送信する送信部とを有し、
前記ホーム基地局交換装置は、
前記ホーム基地局から送信される前記ハンドオーバプレパレーションメッセージを受信する受信部と、
前記ハンドオーバプレパレーションメッセージに、前記ホワイトリストの更新中であることを示す情報が含まれているか否かを検出する検出部と、
前記ハンドオーバプレパレーションメッセージを受信したときにハンドオーバ先を決定する決定部であって、前記ホワイトリストの更新中であることを示す情報を検出したときには、前記モビリティ管理装置からのホワイトリスト更新の応答の受信を待って、ハンドオーバ先を決定する決定部と、
を備える無線通信システム。
【請求項１４】
端末装置がアクセス可能なＣＳＧ（Closed  Subscriber  Group）セルを列挙したホワイトリストを生成するモビリティ管理装置と、前記ホワイトリストに基づいてアクセスの可否を決定するホーム基地局交換装置とを有する無線通信ネットワークにおいて用いられる端末装置のハンドオーバ時の制御方法であって、
手動によるＣＳＧセルの選択を受け付け、選択されたＣＳＧセルがホワイトリストを記憶した記憶部に記憶されていない場合に、そのＣＳＧセルの前記ホワイトリストへの追加をモビリティ管理装置に要求するステップと、
周辺のＣＳＧセルの電波の受信品質を測定し、測定報告メッセージを生成するステップと、
前記測定報告メッセージを前記ＣＳＧセルのホーム基地局に送信するステップとを備え、
前記測定報告メッセージを生成するステップでは、前記測定報告メッセージに含めるＣＳＧセルの中に手動による選択を受け付けたＣＳＧセルを含み、かつ、選択されたＣＳＧセルが前記ホワイトリスト記憶部に記憶されていない場合に、前記ホワイトリストの更新中であることを示す情報を付加した測定報告メッセージを生成する端末装置の制御方法。
【請求項１５】
端末装置がアクセス可能なＣＳＧセルを列挙したホワイトリストを生成するモビリティ管理装置と、前記ホワイトリストに基づいてアクセスの可否を決定するホーム基地局交換装置とを有する無線通信ネットワークにおいて用いられる前記ＣＳＧセルのホーム基地局によるハンドオーバの制御方法であって、
端末装置から送信される測定報告メッセージを受信するステップと、
前記測定報告メッセージに、前記ホワイトリストの更新中であることを示す情報が含まれているか否かを検出するステップと、
前記測定報告メッセージに応じてハンドオーバプレパレーションメッセージを生成するステップであって、前記ホワイトリストの更新中であることを示す情報を検出したときに、前記ホワイトリストの更新中であることを示す情報を含むハンドオーバプレパレーションメッセージを生成するステップと、
前記ハンドオーバプレパレーションメッセージを前記ホーム基地局交換装置に送信するステップと、
を備えるハンドオーバの制御方法。
【請求項１６】
端末装置がアクセス可能なＣＳＧセルを列挙したホワイトリストを生成するモビリティ管理装置と接続され、前記ホワイトリストに基づいて前記ＣＳＧセルに対する端末装置のアクセスの可否を決定するホーム基地局交換装置によるハンドオーバの制御方法であって、
前記ＣＳＧセルのホーム基地局から送信されるハンドオーバプレパレーションメッセージを受信するステップと、
前記ハンドオーバプレパレーションメッセージに、前記ホワイトリストの更新中であることを示す情報が含まれているか否かを検出するステップと、
前記ハンドオーバプレパレーションメッセージを受信したときにハンドオーバ先を決定するステップであって、前記ホワイトリストの更新中であることを示す情報を検出したときには、前記モビリティ管理装置からのホワイトリスト更新の応答の受信を待って、ハンドオーバ先を決定するステップと、
を備えるホーム基地局交換装置によるハンドオーバの制御方法。
【請求項１７】
端末装置がアクセス可能なＣＳＧセルを列挙したホワイトリストを生成し、生成したホワイトリストをホーム基地局交換装置に通知するモビリティ管理装置によるホワイトリストの更新方法であって、
前記ホワイトリストの更新要求を前記ホーム基地局交換装置から受信するステップと、
前記ホワイトリスト更新要求に基づいて記憶部に記憶されたホワイトリストを更新するステップと、
前記ホワイトリスト更新部にてホワイトリストの更新に失敗したときに、ホワイトリストの更新失敗メッセージを前記ホーム基地局交換装置に送信するステップと、
を備えるホワイトリストの更新方法。
【手続補正３】
【補正対象書類名】図面
【補正対象項目名】全図
【補正方法】変更
【補正の内容】
【図１】
2010098035.tif 000028
【図２】
2010098035.tif 000029
【図３】
2010098035.tif 000030
【図４】
2010098035.tif 000031
【図５】
2010098035.tif 000032
【図６】
2010098035.tif 000033
【図７】
2010098035.tif 000034
【図８】
2010098035.tif 000035
【図９】
2010098035.tif 000036
【図１０】
2010098035.tif 000037
【図１１】
2010098035.tif 000038
【図１２】
2010098035.tif 000039
【図１３】
2010098035.tif 000040
【図１４】
2010098035.tif 000041
【図１５】
2010098035.tif 000042
【図１６】
2010098035.tif 000043
【図１７】
2010098035.tif 000044
【図１８】
2010098035.tif 000045
【図１９】
2010098035.tif 000046
【図２０】
2010098035.tif 000047
【図２１】
2010098035.tif 000048
【図２２】
2010098035.tif 000049
【図２３】
2010098035.tif 000050
【図２４】
2010098035.tif 000051
【図２５】
2010098035.tif 000052
【国際調査報告】
2010098035.tif 000053
2010098035.tif 000054